(57)【特許請求の範囲】
【請求項１】
第１のネットワークと第２のネットワークのうちのいずれかに、または、前記第１のネットワークと前記第２のネットワークの中間に存在する第３のネットワークに、設置され、
前記第１のネットワークと前記第２のネットワークとの間で通信される制御信号に含まれる第１の情報に基づいて、前記第１のネットワークと前記第２のネットワークとの間で通信されるメディア信号の第１の経路を最適化する処理を実行するか否かを判定する判定部を備え、
前記第１のネットワークと前記第２のネットワークと前記第３のネットワークはそれぞれ異なるネットワークであり、
前記第１のネットワークと前記第３のネットワークとは接続され、前記第２のネットワークと前記第３のネットワークとは接続され、
前記メディア信号の前記第１の経路は、前記第１のネットワークに接続される第１の装置と前記第２のネットワークに接続される第２の装置との間で前記メディア信号を通信する経路であり、
前記制御信号は第１の中継装置により中継され、前記メディア信号は前記第１の中継装置により制御される第２の中継装置により中継され、
前記メディア信号の前記第１の経路を最適化する処理は、前記第１の経路に含まれる前記第２の中継装置の数が少なくなる第２の経路に切り替える処理であり、
前記第１の情報は、前記第１の経路において前記判定部と前記第１の装置との間に含まれる前記第２の中継装置に関する第２の情報と、前記第１の経路における前記判定部と前記第２の装置との間に含まれる前記第２の中継装置に関する第３の情報を含み、
前記第２の情報は、前記第１の経路において前記判定部と前記第１の装置との間に含まれる前記第１の中継装置によって前記第１の中継装置により制御される前記第２の中継装置について前記制御信号に搭載され、前記メディア信号に対するエンコーディング能力の情報であり、
前記第３の情報は、前記第１の経路において前記判定部と前記第２の装置との間に含まれる前記第１の中継装置によって前記第１の中継装置により制御される前記第２の中継装置について前記制御信号に搭載され、前記メディア信号に対するエンコーディング能力の情報であり、
前記判定部は、前記第２の情報および前記第３の情報に含まれるすべての前記エンコーディング能力の情報が、所定の基準を満たす前記エンコーディング能力の情報であると判定した場合に、前記メディア信号の前記第１の経路を最適化する処理を実行することを判定する、
判定装置。
【請求項２】
前記制御信号に含まれる前記第１の経路に関する情報を制御する経路情報制御部と、
前記制御信号に含まれる前記第１の経路に関する情報を保持する経路情報保持部と、を備え、
前記判定部は、前記経路情報保持部により保持される情報に基づいて、前記判定を行う、
請求項１に記載の判定装置。
【請求項３】
前記判定部により前記メディア信号の前記第１の経路を最適化する処理を実行することが判定された場合に、前記メディア信号の前記第１の経路を最適化する処理の実行の契機となる信号を送信する、
請求項１または請求項２のいずれか１項に記載の判定装置。
【請求項４】
前記メディア信号の前記第１の経路を最適化する処理の実行の契機となる信号に、前記第１のネットワークと前記第２のネットワークのうちの１以上のネットワークに含まれる装置に関する情報を含めて、前記第１のネットワークと前記第２のネットワークのうちの前記ネットワークとは異なるネットワークに送信する、
請求項３に記載の判定装置。
【請求項５】
前記判定部は、前記判定について判定結果に関する情報を保持し、前記制御信号に含まれる情報に基づいて、判定の条件が前記保持される判定結果と同じ判定の条件である場合には、前記判定結果と同じ判定結果を得る、
請求項１から請求項４のいずれか１項に記載の判定装置。
【請求項６】
ＬＴＥをアクセス網とするＩＭＳを利用したシステムに設けられ、
前記第１のネットワーク、前記第２のネットワークおよび前記第３のネットワークは、ＩＰ網であり、
前記制御信号に含まれる情報は、前記第１のネットワークおよび前記第２のネットワークに含まれる１以上のＩＭＳ−ＡＬＧについて、前記ＩＭＳ−ＡＬＧが含まれるネットワークを識別する情報と前記ＩＭＳ−ＡＬＧに対応するＴｒＧＷによる前記メディア信号の通信に関する能力の情報を含み、
前記制御信号は、前記第１の中継装置である前記ＩＭＳ−ＡＬＧにより通信され、
前記メディア信号は、前記第２の中継装置である前記ＴｒＧＷにより通信され、
前記第１のネットワークと前記第２のネットワークのうちの一方がセッションの要求元側となり、他方が前記セッションの要求先側となる、
請求項１から請求項５のいずれか１項に記載の判定装置。
【請求項７】
第１のネットワークと第２のネットワークのうちのいずれかに、または、前記第１のネットワークと前記第２のネットワークの中間に存在する第３のネットワークに、設置される判定装置が、前記第１のネットワークと前記第２のネットワークとの間で通信される制御信号に含まれる第１の情報に基づいて、前記第１のネットワークと前記第２のネットワークとの間で通信されるメディア信号の第１の経路を最適化する処理を実行するか否かを判定する判定方法であって、
前記第１のネットワークと前記第２のネットワークと前記第３のネットワークはそれぞれ異なるネットワークであり、
前記第１のネットワークと前記第３のネットワークとは接続され、前記第２のネットワークと前記第３のネットワークとは接続され、
前記メディア信号の前記第１の経路は、前記第１のネットワークに接続される第１の装置と前記第２のネットワークに接続される第２の装置との間で前記メディア信号を通信する経路であり、
前記制御信号は第１の中継装置により中継され、前記メディア信号は前記第１の中継装置により制御される第２の中継装置により中継され、
前記メディア信号の前記第１の経路を最適化する処理は、前記第１の経路に含まれる前記第２の中継装置の数が少なくなる第２の経路に切り替える処理であり、
前記第１の情報は、前記第１の経路において前記判定装置と前記第１の装置との間に含まれる前記第２の中継装置に関する第２の情報と、前記第１の経路における前記判定装置と前記第２の装置との間に含まれる前記第２の中継装置に関する第３の情報を含み、
前記第２の情報は、前記第１の経路において前記判定装置と前記第１の装置との間に含まれる前記第１の中継装置によって前記第１の中継装置により制御される前記第２の中継装置について前記制御信号に搭載され、前記メディア信号に対するエンコーディング能力の情報であり、
前記第３の情報は、前記第１の経路において前記判定装置と前記第２の装置との間に含まれる前記第１の中継装置によって前記第１の中継装置により制御される前記第２の中継装置について前記制御信号に搭載され、前記メディア信号に対するエンコーディング能力の情報であり、
前記判定装置は、前記第２の情報および前記第３の情報に含まれるすべての前記エンコーディング能力の情報が、所定の基準を満たす前記エンコーディング能力の情報であると判定した場合に、前記メディア信号の前記第１の経路を最適化する処理を実行することを判定する、
判定方法。
【請求項８】
第１のネットワークと第２のネットワークのうちのいずれかに、または、前記第１のネットワークと前記第２のネットワークの中間に存在する第３のネットワークに、設置され、前記第１のネットワークと前記第２のネットワークとの間で通信される信号を中継する判定装置を有し、
前記判定装置は、前記第１のネットワークと前記第２のネットワークとの間で通信される制御信号に含まれる第１の情報に基づいて、前記第１のネットワークと前記第２のネットワークとの間で通信されるメディア信号の第１の経路を最適化する処理を実行するか否かを判定する、通信システムであって、
前記第１のネットワークと前記第２のネットワークと前記第３のネットワークはそれぞれ異なるネットワークであり、
前記第１のネットワークと前記第３のネットワークとは接続され、前記第２のネットワークと前記第３のネットワークとは接続され、
前記メディア信号の前記第１の経路は、前記第１のネットワークに接続される第１の装置と前記第２のネットワークに接続される第２の装置との間で前記メディア信号を通信する経路であり、
前記制御信号は第１の中継装置により中継され、前記メディア信号は前記第１の中継装置により制御される第２の中継装置により中継され、
前記メディア信号の前記第１の経路を最適化する処理は、前記第１の経路に含まれる前記第２の中継装置の数が少なくなる第２の経路に切り替える処理であり、
前記第１の情報は、前記第１の経路において前記判定装置と前記第１の装置との間に含まれる前記第２の中継装置に関する第２の情報と、前記第１の経路における前記判定装置と前記第２の装置との間に含まれる前記第２の中継装置に関する第３の情報を含み、
前記第２の情報は、前記第１の経路において前記判定装置と前記第１の装置との間に含まれる前記第１の中継装置によって前記第１の中継装置により制御される前記第２の中継装置について前記制御信号に搭載され、前記メディア信号に対するエンコーディング能力の情報であり、
前記第３の情報は、前記第１の経路において前記判定装置と前記第２の装置との間に含まれる前記第１の中継装置によって前記第１の中継装置により制御される前記第２の中継装置について前記制御信号に搭載され、前記メディア信号に対するエンコーディング能力の情報であり、
前記判定装置は、前記第２の情報および前記第３の情報に含まれるすべての前記エンコーディング能力の情報が、所定の基準を満たす前記エンコーディング能力の情報であると判定した場合に、前記メディア信号の前記第１の経路を最適化する処理を実行することを判定する、
通信システム。
【発明の詳細な説明】
【技術分野】
【０００１】
本発明は、判定装置、判定方法および通信システムに関する。
【背景技術】
【０００２】
ＩＭＳ（ＩＰ  Ｍｕｌｔｉｍｅｄｉａ  Ｓｕｂｓｙｓｔｅｍ）は、ＩＰ（Ｉｎｔｅｒｎｅｔ  Ｐｒｏｔｏｃｏｌ）ベースのマルチメディア通信サービスを提供することを目的として３ＧＰＰ（３ｒｄ  Ｇｅｎｅｒａｔｉｏｎ  Ｐａｒｔｎｅｒｓｈｉｐ  Ｐｒｏｊｅｃｔ）国際標準として既定されている。ＩＭＳは、アクセス網に依存しないＩＰで通信するコアネットワークの概念である。ＩＭＳでは、各アクセス網をＩＰ−ＣＡＮ（ＩＰ  Ｃｏｎｎｅｃｔｉｖｉｔｙ  Ａｃｃｅｓｓ  Ｎｅｔｗｏｒｋ）と呼び、複数のＩＰ−ＣＡＮをシームレスに収容することを可能とする。
【０００３】
ＩＭＳでは、アクセス網に依存しないため、異なるアクセス網で共通のマルチメディア通信サービスを提供することが可能となる。このマルチメディア通信サービスとしては、例えば、ＩＰ電話、テレビ電話、ＩＭ（Ｉｎｓｔａｎｔ  Ｍｅｓｓａｇｅ）などがある。このようなＩＭＳが非特許文献１に規定されている（非特許文献１参照。）。
【０００４】
ＩＭＳは、主に、セッション制御機能（ＣＳＣＦ：Ｃａｌｌ  Ｓｅｓｓｉｏｎ  Ｃｏｎｔｒｏｌ  Ｆｕｎｃｔｉｏｎ）、アプリケーションサービス制御機能（ＡＳ：Ａｐｐｌｉｃａｔｉｏｎ  Ｓｅｒｖｅｒ）を含む。また、ＩＭＳは、ユーザ情報蓄積機能（ＨＳＳ：Ｈｏｍｅ  Ｓｕｂｓｃｒｉｂｅｒ  Ｓｅｒｖｅｒ）を含む。
ＣＳＣＦは、サービス制御ネットワークの制御の核であるセッション制御を行う機能であり、移動端末間の通信セッションの設定、解放や、サービス条件にしたがってＡＳを選択して、セッション制御プロトコルであるＳＩＰ（Ｓｅｓｓｉｏｎ  Ｉｎｉｔｉａｔｉｏｎ  Ｐｒｏｔｏｃｏｌ）信号やセッション記述プロトコルであるＳＤＰ（Ｓｅｓｓｉｏｎ  Ｄｅｓｃｒｉｐｔｉｏｎ  Ｐｒｏｔｏｃｏｌ）信号を転送することを行う。ＣＳＣＦは、Ｐ−ＣＳＣＦ（Ｐｒｏｘｙ−ＣＳＣＦ）、Ｓ−ＣＳＣＦ（Ｓｅｒｖｉｎｇ−ＣＳＣＦ）、Ｉ−ＣＳＣＦ（Ｉｎｔｅｒｒｏｇａｔｉｎｇ−ＣＳＣＦ）の３つの機能要素に分けられる。
【０００５】
ＩＭＳは、異なるＩＰ網と接続することが可能であり、非特許文献１に記載されているように、ＩＢＣＦ（Ｉｎｔｅｒｃｏｎｎｅｃｔｉｏｎ  Ｂｏｒｄｅｒ  Ｃｏｎｔｒｏｌ  Ｆｕｎｃｔｉｏｎ）を設置することで、２つの異なるＩＰ網内でそれぞれ流通する独自のＳＩＰパラメータ、ＳＤＰに記述されているコーデックなどの網間差分をなくす信号変換を行うことができる。ここで、ＩＭＳに対して異なるＩＰ網としては、他のＩＭＳや、ＮＧＮ（Ｎｅｘｔ  Ｇｅｎｅｒａｔｉｏｎ  Ｎｅｔｗｏｒｋ）などがある。
【０００６】
非特許文献２や特許文献１には、ＩＭＳにおけるメディア経路の最適化方法（ＯＭＲ：Ｏｐｔｉｍａｌ  Ｍｅｄｉａ  Ｒｏｕｔｅｉｎｇ）について記載されている（非特許文献２および特許文献１参照。）。
加入者（ユーザ）の端末であるユーザ端末（ＵＥ：Ｕｓｅｒ  Ｅｑｕｉｐｍｅｎｔ）の間でマルチメディア通信を行う場合、ＩＭＳ−ＡＬＧ（ＩＭＳ−Ａｐｐｌｉｃａｔｉｏｎ  Ｌｅｖｅｌ  Ｇａｔｅｗａｙ）が制御信号を中継し、ＴｒＧＷ（Ｔｒａｎｓｉｔｉｏｎ  Ｇａｔｅｗａｙ）がメディア信号を中継する。ＩＭＳ−ＡＬＧは、メディア信号の中継が可能となるようにＴｒＧＷを制御する。
【０００７】
通常、制御信号が複数のＩＭＳ−ＡＬＧにより中継される必要があるマルチメディア通信では、メディア信号が複数のＴｒＧＷにより中継される必要がある。これに対して、ＯＭＲでは、一定の条件を満たせば一部ないし全部のＴｒＧＷを中継させることなく、ＵＥ同士が最低限必要なＴｒＧＷのみを中継させて、マルチメディア通信を行うことが可能となる。特に、異なるＩＰ網とのエントリになるＩＭＳ−ＡＬＧは中継させる必要があるため、ＩＢＣＦはＩＭＳ−ＡＬＧ機能を含むことがある。
【０００８】
特許文献２には、ＩＭＳによるメディア経路の最適化方法について記載されている（特許文献２参照。）。具体的には、メディア経路の最適化を行う際のシグナリングのために通信セッションの確立が遅くなることに着目し、中間のＩＭＳ−ＡＬＧがユーザ端末からのセッション確立要求に対する応答を受けた時に、通常の応答を転送するとともに、経路最適化が可能なＩＭＳ−ＡＬＧに対して別途セッション確立要求を送り、通信セッションの確立にかかる時間を短縮する方法が記載されている。
【先行技術文献】
【特許文献】
【０００９】
【特許文献１】特許第５３５７８７３号公報
【特許文献２】特許第５５０６９４１号公報
【非特許文献】
【００１０】
【非特許文献１】３ＧＰＰ  ＴＳ  ２３．２２８  「ＩＰ  Ｍｕｌｔｉｍｅｄｉａ  Ｓｕｂｓｙｓｔｅｍ  （ＩＭＳ）；Ｓｔａｇｅ２」
【非特許文献２】３ＧＰＰ  ＴＳ  ２９．０７９  「Ｏｐｔｉｍａｌ  ｍｅｄｉａ  ｒｏｕｔｅｉｎｇ  ｗｉｔｈｉｎ  ｔｈｅ  ＩＰ  Ｍｕｌｔｉｍｅｄｉａ  Ｓｕｂｓｙｓｔｅｍ（ＩＭＳ）；Ｓｔａｇｅ３」
【発明の概要】
【発明が解決しようとする課題】
【００１１】
ＯＭＲにおいて、ＩＭＳ−ＡＬＧは、自装置が位置するネットワークの識別子（ネットワークＩＤ）や自装置が制御するＴｒＧＷのメディア転送能力など（メディアのコーデックなど）の情報要素（メディア経路情報）をＳＤＰ上に記述したＳＩＰの制御信号を、後続のＩＭＳ−ＡＬＧに転送する。当該ＳＩＰの制御信号を受信した後続のＩＭＳ−ＡＬＧは、ＳＤＰに含まれるメディア経路情報から判定される条件に基づいて、一部ないし全部のＴｒＧＷを中継させる必要がないと判定した場合、ＳＤＰ上にて中継しないＴｒＧＷの情報を削除することができる。この条件としては、過去に中継されたＩＭＳ−ＡＬＧがその識別子（ネットワークＩＤ）から自装置と同一のネットワークの装置であると判定されたという条件、あるいは、使用されるメディアのコーデックが自装置と同一であると判定されたという条件などがある。また、当該ＳＩＰの制御信号を受信した後続のＩＭＳ−ＡＬＧは、ＳＤＰから情報を削除せず、自装置のメディア経路情報をＳＤＰ上に追加するのみでもよい。
このように、従来技術においては、要求元のＩＭＳ−ＡＬＧのメディア経路情報とそれを受信したＩＭＳ−ＡＬＧ自身のメディア経路情報のみを用いて、メディア経路の最適化を判断する。
【００１２】
ここで、ＩＰ中継網が、制御信号やメディア信号を中継する役割だけではなく、ユーザ端末にマルチメディア通信サービス（例えば、ローミングサービスなど）を提供する役割を持つ場合には、ＩＰ中継網を持つ事業者はマルチメディア通信サービスの品質や信頼性を確保することを希望すると考えられる。
これに関し、高いサービス品質や高い信頼性を保つためには、要求元のＩＰ網のメディア経路情報だけでなく要求先のＩＰ網のメディア経路情報を取得し、これらに基づいて、ＩＰ中継網の１以上のＴｒＧＷを経由しなくてもサービスの品質や信頼性を損なわないことが判定された場合にのみ、メディア経路の最適化を実行するようなアプローチが考えられる。しかしながら、このようなアプローチに関し、従来技術では、要求先のＩＰ網のメディア経路情報を考慮しないため、要求元と要求先のＩＰ網の条件に応じてＩＭＳにおけるメディア経路の最適化を行うことができなかった。
【００１３】
本発明は、このような事情を考慮してなされたもので、第１のネットワークと第２のネットワークのうちのいずれか、または、前記第１のネットワークと前記第２のネットワークの中間において、これら複数のネットワークの状況に応じてメディア信号の経路の効率化を図ることができる判定装置、判定方法および通信システムを提供することを課題とする。
【課題を解決するための手段】
【００１４】
上記の課題を解決するために、本発明の一態様に係る判定装置は、第１のネットワークと第２のネットワークのうちのいずれかに、または、前記第１のネットワークと前記第２のネットワークの中間に存在する第３のネットワークに、設置され、前記第１のネットワークと前記第２のネットワークとの間で通信される制御信号に含まれる第１の情報に基づいて、前記第１のネットワークと前記第２のネットワークとの間で通信されるメディア信号の第１の経路を最適化する処理を実行するか否かを判定する判定部を備え、前記第１のネットワークと前記第２のネットワークと前記第３のネットワークはそれぞれ異なるネットワークであり、前記第１のネットワークと前記第３のネットワークとは接続され、前記第２のネットワークと前記第３のネットワークとは接続され、前記メディア信号の前記第１の経路は、前記第１のネットワークに接続される第１の装置と前記第２のネットワークに接続される第２の装置との間で前記メディア信号を通信する経路であり、前記制御信号は第１の中継装置により中継され、前記メディア信号は前記第１の中継装置により制御される第２の中継装置により中継され、前記メディア信号の前記第１の経路を最適化する処理は、前記第１の経路に含まれる前記第２の中継装置の数が少なくなる第２の経路に切り替える処理であり、前記第１の情報は、前記第１の経路において前記判定部と前記第１の装置との間に含まれる前記第２の中継装置に関する第２の情報と、前記第１の経路における前記判定部と前記第２の装置との間に含まれる前記第２の中継装置に関する第３の情報を含み、前記第２の情報は、前記第１の経路において前記判定部と前記第１の装置との間に含まれる前記第１の中継装置によって前記第１の中継装置により制御される前記第２の中継装置について前記制御信号に搭載され、前記メディア信号に対するエンコーディング能力の情報であり、前記第３の情報は、前記第１の経路において前記判定部と前記第２の装置との間に含まれる前記第１の中継装置によって前記第１の中継装置により制御される前記第２の中継装置について前記制御信号に搭載され、前記メディア信号に対するエンコーディング能力の情報であり、前記判定部は、前記第２の情報および前記第３の情報に含まれるすべての前記エンコーディング能力の情報が、所定の基準を満たす前記エンコーディング能力の情報であると判定した場合に、前記メディア信号の前記第１の経路を最適化する処理を実行することを判定する。
【００１５】
本発明の一態様は、判定装置において、前記制御信号に含まれる前記第１の経路に関する情報を制御する経路情報制御部と、前記制御信号に含まれる前記第１の経路に関する情報を保持する経路情報保持部と、を備え、前記判定部は、前記経路情報保持部により保持される情報に基づいて、前記判定を行う、構成が用いられてもよい。
【００１７】
本発明の一態様は、判定装置において、前記判定部により前記メディア信号の前記第１の経路を最適化する処理を実行することが判定された場合に、前記メディア信号の前記第１の経路を最適化する処理の実行の契機となる信号を送信する、構成が用いられてもよい。
【００１８】
本発明の一態様は、判定装置において、前記メディア信号の前記第１の経路を最適化する処理の実行の契機となる信号に、前記第１のネットワークと前記第２のネットワークのうちの１以上のネットワークに含まれる装置に関する情報を含めて、前記第１のネットワークと前記第２のネットワークのうちの前記ネットワークとは異なるネットワークに送信する、構成が用いられてもよい。
【００１９】
本発明の一態様は、判定装置において、前記判定部は、前記判定について判定結果に関する情報を保持し、前記制御信号に含まれる情報に基づいて、判定の条件が前記保持される判定結果と同じ判定の条件である場合には、前記判定結果と同じ判定結果を得る、構成が用いられてもよい。
【００２０】
本発明の一態様は、判定装置において、ＬＴＥをアクセス網とするＩＭＳを利用したシステムに設けられ、前記第１のネットワーク、前記第２のネットワークおよび前記第３のネットワークは、ＩＰ網であり、前記制御信号に含まれる情報は、前記第１のネットワークおよび前記第２のネットワークに含まれる１以上のＩＭＳ−ＡＬＧについて、前記ＩＭＳ−ＡＬＧが含まれるネットワークを識別する情報と前記ＩＭＳ−ＡＬＧに対応するＴｒＧＷによる前記メディア信号の通信に関する能力の情報を含み、前記制御信号は、前記第１の中継装置である前記ＩＭＳ−ＡＬＧにより通信され、前記メディア信号は、前記第２の中継装置である前記ＴｒＧＷにより通信され、前記第１のネットワークと前記第２のネットワークのうちの一方がセッションの要求元側となり、他方が前記セッションの要求先側となる、構成が用いられてもよい。
【００２１】
上記の課題を解決するために、本発明の一態様に係る判定方法は、第１のネットワークと第２のネットワークのうちのいずれかに、または、前記第１のネットワークと前記第２のネットワークの中間に存在する第３のネットワークに、設置される判定装置が、前記第１のネットワークと前記第２のネットワークとの間で通信される制御信号に含まれる第１の情報に基づいて、前記第１のネットワークと前記第２のネットワークとの間で通信されるメディア信号の第１の経路を最適化する処理を実行するか否かを判定する判定方法であって、前記第１のネットワークと前記第２のネットワークと前記第３のネットワークはそれぞれ異なるネットワークであり、前記第１のネットワークと前記第３のネットワークとは接続され、前記第２のネットワークと前記第３のネットワークとは接続され、前記メディア信号の前記第１の経路は、前記第１のネットワークに接続される第１の装置と前記第２のネットワークに接続される第２の装置との間で前記メディア信号を通信する経路であり、前記制御信号は第１の中継装置により中継され、前記メディア信号は前記第１の中継装置により制御される第２の中継装置により中継され、前記メディア信号の前記第１の経路を最適化する処理は、前記第１の経路に含まれる前記第２の中継装置の数が少なくなる第２の経路に切り替える処理であり、前記第１の情報は、前記第１の経路において前記判定装置と前記第１の装置との間に含まれる前記第２の中継装置に関する第２の情報と、前記第１の経路における前記判定装置と前記第２の装置との間に含まれる前記第２の中継装置に関する第３の情報を含み、前記第２の情報は、前記第１の経路において前記判定装置と前記第１の装置との間に含まれる前記第１の中継装置によって前記第１の中継装置により制御される前記第２の中継装置について前記制御信号に搭載され、前記メディア信号に対するエンコーディング能力の情報であり、前記第３の情報は、前記第１の経路において前記判定装置と前記第２の装置との間に含まれる前記第１の中継装置によって前記第１の中継装置により制御される前記第２の中継装置について前記制御信号に搭載され、前記メディア信号に対するエンコーディング能力の情報であり、前記判定装置は、前記第２の情報および前記第３の情報に含まれるすべての前記エンコーディング能力の情報が、所定の基準を満たす前記エンコーディング能力の情報であると判定した場合に、前記メディア信号の前記第１の経路を最適化する処理を実行することを判定する。
【００２２】
上記の課題を解決するために、本発明の一態様に係る通信システムは、第１のネットワークと第２のネットワークのうちのいずれかに、または、前記第１のネットワークと前記第２のネットワークの中間に存在する第３のネットワークに、設置され、前記第１のネットワークと前記第２のネットワークとの間で通信される信号を中継する判定装置を有し、前記判定装置は、前記第１のネットワークと前記第２のネットワークとの間で通信される制御信号に含まれる第１の情報に基づいて、前記第１のネットワークと前記第２のネットワークとの間で通信されるメディア信号の第１の経路を最適化する処理を実行するか否かを判定する、通信システムであって、前記第１のネットワークと前記第２のネットワークと前記第３のネットワークはそれぞれ異なるネットワークであり、前記第１のネットワークと前記第３のネットワークとは接続され、前記第２のネットワークと前記第３のネットワークとは接続され、前記メディア信号の前記第１の経路は、前記第１のネットワークに接続される第１の装置と前記第２のネットワークに接続される第２の装置との間で前記メディア信号を通信する経路であり、前記制御信号は第１の中継装置により中継され、前記メディア信号は前記第１の中継装置により制御される第２の中継装置により中継され、前記メディア信号の前記第１の経路を最適化する処理は、前記第１の経路に含まれる前記第２の中継装置の数が少なくなる第２の経路に切り替える処理であり、前記第１の情報は、前記第１の経路において前記判定装置と前記第１の装置との間に含まれる前記第２の中継装置に関する第２の情報と、前記第１の経路における前記判定装置と前記第２の装置との間に含まれる前記第２の中継装置に関する第３の情報を含み、前記第２の情報は、前記第１の経路において前記判定装置と前記第１の装置との間に含まれる前記第１の中継装置によって前記第１の中継装置により制御される前記第２の中継装置について前記制御信号に搭載され、前記メディア信号に対するエンコーディング能力の情報であり、前記第３の情報は、前記第１の経路において前記判定装置と前記第２の装置との間に含まれる前記第１の中継装置によって前記第１の中継装置により制御される前記第２の中継装置について前記制御信号に搭載され、前記メディア信号に対するエンコーディング能力の情報であり、前記判定装置は、前記第２の情報および前記第３の情報に含まれるすべての前記エンコーディング能力の情報が、所定の基準を満たす前記エンコーディング能力の情報であると判定した場合に、前記メディア信号の前記第１の経路を最適化する処理を実行することを判定する。
【発明の効果】
【００２３】
本発明によれば、第１のネットワークと第２のネットワークのうちのいずれか、または、前記第１のネットワークと前記第２のネットワークの中間において、これら複数のネットワークの状況に応じてメディア信号の経路の効率化を図ることができる。
【図面の簡単な説明】
【００２４】
【図１】本発明の一実施形態に係る通信システムの装置構成を示すブロック図である。
【図２】本発明の一実施形態に係る通信システムの概略的な機能構成を示すブロック図である。
【図３】本発明の一実施形態に係る通信システムの装置構成と機能構成との対応の一例を示すブロック図である。
【図４】本発明の一実施形態（第１実施形態）に係る通信システムにおいて行われる処理の流れの一例を示す処理シーケンスの図である。
【図５】本発明の一実施形態（第２実施形態）に係る通信システムにおいて行われる処理の流れの一例を示す処理シーケンスの図である。
【図６】本発明の一実施形態（第３実施形態）に係る通信システムにおいて行われる処理の流れの一例を示す処理シーケンスの図である。
【図７】本発明の一実施形態（第４実施形態）に係る通信システムにおいて行われるＵＥ同士の通信の一例を示す図である。
【発明を実施するための形態】
【００２５】
以下、図面を参照し、本発明の実施形態について説明する。
【００２６】
（本実施形態に係る通信システムの概略）
図１は、本発明の一実施形態に係る通信システム１の装置構成を示すブロック図である。本実施形態では、代表的な構成例を示す。
図２は、本発明の一実施形態に係る通信システム１の概略的な機能構成を示すブロック図である。
図３は、本発明の一実施形態に係る通信システム１の装置構成（図１に示される例）と機能構成（図２に示される例）との対応の一例を示すブロック図である。
【００２７】
図１に示されるように、本実施形態に係る通信システム１は、要求元のＵＥ２１−１と、要求先のＵＥ２１−２と、要求元のＩＰ網１１と、要求先のＩＰ網１２と、ＩＰ中継網１３を備える。
通信システム１は、要求元のＩＰ網１１に、Ｐ−ＣＳＣＦ２２−１と、ＩＭＳ−ＡＬＧ２３−１と、ＴｒＧＷ２４−１を備える。
通信システム１は、要求先のＩＰ網１２に、Ｐ−ＣＳＣＦ２２−２と、ＩＭＳ−ＡＬＧ２３−４と、ＴｒＧＷ２４−４を備える。
通信システム１は、ＩＰ中継網１３に、ＩＭＳ−ＡＬＧ２３−２と、ＴｒＧＷ２４−２と、ＩＭＳ−ＡＬＧ２３−３と、ＴｒＧＷ２４−３と、Ｓ−ＣＳＣＦ３１と、ＡＳ３２を備える。
【００２８】
ここで、要求元のＵＥ２１−１は、基地局装置（ｅＮＢ：ｅｖｏｌｖｅｄ  Ｎｏｄｅ  Ｂ）などの他の装置（図１では、図示省略。）を介して、要求元ＩＰ網１１のＰ−ＣＳＣＦ２２−１と接続される。
要求元ＩＰ網１１のＩＭＳ−ＡＬＧ２３−１およびＴｒＧＷ２４−１のそれぞれと、ＩＰ中継網１３のＩＭＳ−ＡＬＧ２３−２およびＴｒＧＷ２４−２のそれぞれとが接続される。
ＩＰ中継網１３のＩＭＳ−ＡＬＧ２３−３およびＴｒＧＷ２４−３のそれぞれと、要求先ＩＰ網１２のＩＭＳ−ＡＬＧ２３−４およびＴｒＧＷ２４−４のそれぞれとが接続される。
要求先のＵＥ２１−２は、基地局装置（ｅＮＢ）などの他の装置（図１では、図示省略。）を介して、要求先ＩＰ網１２のＰ−ＣＳＣＦ２２−２と接続される。
なお、要求元ＩＰ網１１、要求先ＩＰ網１２およびＩＰ中継網１３には、それぞれ、他の装置（図１では、図示省略。）を備えてもよい。
【００２９】
このように、本実施形態に係る通信システム１は、ローミングサービスに関する複数のＩＰ網（要求元ＩＰ網１１、要求先ＩＰ網１２およびＩＰ中継網１３）が相互接続されているネットワークアーキテクチャを有する。また、本実施形態に係る通信システム１では、ＩＭＳにおいてアクセス網がＬＴＥ（Ｌｏｎｇ  Ｔｅｒｍ  Ｅｖｏｌｕｔｉｏｎ）網である場合のネットワークアーキテクチャを例示する。
各ＵＥ２１−１〜２１−２は、ユーザ契約している事業者等のＩＰ網に登録される。本実施形態では、ＵＥ２１−１は要求元ＩＰ網１１に登録され、ＵＥ２１−２は要求先ＩＰ網１２に登録される。
各ＩＰ網（要求元ＩＰ網１１、要求先ＩＰ網１２およびＩＰ中継網１３）は、対向する他のＩＰ網の関門装置として、ＩＭＳ−ＡＬＧ２３−１〜２３−４を配置する。各ＩＭＳ−ＡＬＧ２３−１〜２３−４は、物理的に同じ装置もしくは別の装置として、各ＴｒＧＷ２４−１〜２４−４の機能と連携し、メディア制御を行う。各ＩＭＳ−ＡＬＧ２３−１〜２３−４は制御信号を制御して中継し、各ＴｒＧＷ２４−１〜２４−４はメディア信号を制御して中継する。
【００３０】
本実施形態では、要求元ＩＰ網１１あるいは要求先ＩＰ網１２あるいはこれらの両方が、ローミングサービスのＶｉｓｉｔｅｄ網として機能する。
ＩＰ中継網１３は、Ｓ−ＣＳＣＦ３１やＡＳ３２を配置しており、ローミングサービスのＨｏｍｅ網として機能する。
なお、一般的なアーキテクチャでは、Ｖｉｓｉｔｅｄ網のＰ−ＣＳＣＦ（本実施形態では、Ｐ−ＣＳＣＦ２２−１〜２２−２）とＨｏｍｅ網のＳ−ＣＳＣＦ（本実施形態では、Ｓ−ＣＳＣＦ３１）を使用して、ローミングサービスが提供される（非特許文献１参照。）。
【００３１】
図２に示されるように、本実施形態に係る通信システム１は、概略的に、要求元の信号中継サーバ１０１と、要求先の信号中継サーバ１０２と、サービス制御装置１０３を含む機能構成を有する。
要求元の信号中継サーバ１０１は、メディア経路情報制御機能１２１を備える。
要求先の信号中継サーバ１０２は、メディア経路情報制御機能１３１を備える。
サービス制御装置１０３は、メディア経路情報制御機能１４１と、メディア経路情報保持機能１４２と、メディア経路最適化判定機能１４３を備える。
【００３２】
図３に示されるように、図１に示される装置構成と図２に示される機能構成との対応の一例では、要求元側の中継部２０１−１がメディア経路情報制御機能１２１としてＩＭＳ−ＡＬＧ２３−１のメディア経路情報制御機能１２１−１およびＩＭＳ−ＡＬＧ２３−２のメディア経路情報制御機能１２１−２を備え、要求先側の中継部２０１−２がメディア経路情報制御機能１３１としてＩＭＳ−ＡＬＧ２３−３のメディア経路情報制御機能１３１−１およびＩＭＳ−ＡＬＧ２３−４のメディア経路情報制御機能１３１−２を備え、判定部２０２がメディア経路情報制御機能１４１とメディア経路情報保持機能１４２とメディア経路最適化判定機能１４３を備える。
【００３３】
ここで、要求元側の中継部２０１−１は、要求元ＩＰ網１１のＩＭＳ−ＡＬＧ２３−１およびＩＰ中継網１３のＩＭＳ−ＡＬＧ２３−２を含む。本実施形態では、これらのＩＭＳ−ＡＬＧ２３−１〜２３−２のそれぞれに、メディア経路情報制御機能１２１−１〜１２１−２のそれぞれを備える。
また、要求先側の中継部２０１−２は、ＩＰ中継網１３のＩＭＳ−ＡＬＧ２３−３および要求先ＩＰ網１２のＩＭＳ−ＡＬＧ２３−４を含む。本実施形態では、これらのＩＭＳ−ＡＬＧ２３−３〜２３−４のそれぞれに、メディア経路情報制御機能１３１−１〜１３１−２のそれぞれを備える。
また、判定部２０２は、ＩＰ中継網１３のＳ−ＣＳＣＦ３１およびＡＳ３２を含む。本実施形態では、例えば、Ｓ−ＣＳＣＦ３１およびＡＳ３２のうちの一方にメディア経路情報制御機能１４１とメディア経路情報保持機能１４２とメディア経路最適化判定機能１４３を備える、または、Ｓ−ＣＳＣＦ３１およびＡＳ３２の両方に、任意に分散させて、メディア経路情報制御機能１４１とメディア経路情報保持機能１４２とメディア経路最適化判定機能１４３を備える。
【００３４】
図２および図３に示される各機能を説明する。
要求元側の中継部２０１−１では、メディア経路情報制御機能１２１（メディア経路情報制御機能１２１−１〜１２１−２）は、要求元ＩＰ網１１のＩＭＳ−ＡＬＧ２３−１およびＩＰ中継網１３のＩＭＳ−ＡＬＧ２３−２を介する通信に関し、メディア経路情報の制御を行う。
要求先側の中継部２０１−２では、メディア経路情報制御機能１３１（メディア経路情報制御機能１３１−１〜１３１−２）は、ＩＰ中継網１３のＩＭＳ−ＡＬＧ２３−３および要求先ＩＰ網１２のＩＭＳ−ＡＬＧ２３−４を介する通信に関し、メディア経路情報の制御を行う。
判定部２０２では、メディア経路情報制御機能１４１は、要求元ＩＰ網１１および要求先ＩＰ網１２を介する通信に関し、メディア経路情報の制御を行う。メディア経路情報保持機能１４２は、メディア経路情報を記憶部（メモリ）に記憶して保持する。なお、記憶部は、判定部２０２の内部に備えられてもよく、または、判定部２０２の外部に備えられてもよい。メディア経路最適化判定機能１４３は、メディア信号を通信する経路の最適化を行うか否かを判定する。
【００３５】
なお、本実施形態に係る通信システム１では、図２および図３に示されるメディア経路情報制御機能１２１、１３１、１４１、メディア経路情報保持機能１４２、およびメディア経路最適化判定機能１４３と、それに付随する処理を実現するための機能以外については、各装置は、既存の機能を有する。
例えば、各ネットワーク（網）の入口および出口に設けられる中継装置である各ＩＭＳ−ＡＬＧ２３−１〜２３−４は、既存の機能を有し、本実施形態において、メディア経路の最適化方法（ＯＭＲ）の処理を実行する機能を有する。
ここで、本実施形態では、各ＩＭＳ−ＡＬＧ２３−１〜２３−４は、同様な機能を有するが、他の構成例として、本発明が実現可能な範囲で、各ＩＭＳ−ＡＬＧ２３−１〜２３−４が様々な機能を有してもよい。
【００３６】
（第１実施形態）
図４は、本発明の一実施形態（第１実施形態）に係る通信システム１において行われる処理の流れの一例を示す処理シーケンスの図である。
なお、本実施形態に係る通信システム１において、各ＵＥ２１−１〜２１−２とｅＮＢとは無線により通信する。それ以外の各通信経路では、例えば、有線により通信が行われ、または、無線により通信が行われてもよい。また、ある装置と他の装置とが通信する場合、これらの装置の間に存在する別の装置は当該通信の中継や転送を行う。
また、図４の例では、説明の便宜上から、ＩＭＳ−ＡＬＧ２３−１とＰ−ＣＳＣＦ２２−１をまとめて示し、ＩＭＳ−ＡＬＧ２３−４とＰ−ＣＳＣＦ２２−２をまとめて示し、Ｓ−ＣＳＣＦ３１とＡＳ３２をまとめて示す。
【００３７】
また、本実施形態では、ＬＴＥのネットワークを使用してＶｏＩＰ（Ｖｏｉｃｅ  ｏｖｅｒ  ＩＰ）による音声通話を行うＶｏＬＴＥ（Ｖｏｉｃｅ  ｏｖｅｒ  ＬＴＥ）を用いて、加入者（ユーザ）のモバイル端末により通信を行う場合を例として説明する。なお、本実施形態は、モバイル端末ばかりでなく、固定端末に適用することも可能である。
【００３８】
（処理Ｔ１）
マルチメディア通信の要求元のＵＥ２１−１は、セッション開始要求を送信する。
ここで、セッション開始要求は、要求元のＵＥ２１−１のＩＰアドレス、ポートおよびセッションにおいて使用したいコーデックなどの情報を含むＳＤＰを有する。
【００３９】
（処理Ｔ２）
要求元のＵＥ２１−１から送信されたセッション開始要求は、Ｐ−ＣＳＣＦ２２−１を介して、ＩＭＳ−ＡＬＧ２３−１により中継される。ＩＭＳ−ＡＬＧ２３−１は、当該セッション開始要求を中継する際に、メディア経路情報制御機能１２１−１により、当該セッション開始要求に対して自装置に関する所定のメディア経路情報をＳＤＰに付与したセッション開始要求の信号を転送する。
この所定のメディア経路情報は、例えば、自装置が位置するネットワークの識別子（ネットワークＩＤ）の情報や、自装置に対応するＴｒＧＷ２４−１におけるメディア信号の転送能力など（例えば、メディアのコーデックなど）に関する提供可能な能力情報などを含む。
【００４０】
（処理Ｔ３）
ＩＭＳ−ＡＬＧ２３−１から転送されたセッション開始要求は、ＩＭＳ−ＡＬＧ２３−２により中継される。ＩＭＳ−ＡＬＧ２３−２は、当該セッション開始要求を中継する際に、メディア経路情報制御機能１２１−２により、当該セッション開始要求に対して自装置に関する所定のメディア経路情報をＳＤＰに付与したセッション開始要求の信号を転送する。
この所定のメディア経路情報は、例えば、自装置が位置するネットワークの識別子（ネットワークＩＤ）の情報や、自装置に対応するＴｒＧＷ２４−２におけるメディア信号の転送能力など（例えば、メディアのコーデックなど）に関する提供可能な能力情報などを含む。
【００４１】
（処理Ｔ４）
Ｓ−ＣＳＣＦ３１およびＡＳ３２は、ＩＭＳ−ＡＬＧ２３−２から転送されたセッション開始要求を受信する。Ｓ−ＣＳＣＦ３１およびＡＳ３２は、メディア経路情報保持機能１４２により、受信されたセッション開始要求に含まれる所定の情報（情報要素）を抽出（取得）して記憶部に記憶して保持する。
この所定の情報は、ＩＭＳ−ＡＬＧの群（ここでは、ＩＭＳ−ＡＬＧ２３−１およびＩＭＳ−ＡＬＧ２３−２）に関するメディア経路情報を含むＳＤＰの情報である。この所定の情報は、要求元のＩＭＳ網の情報要素である。
【００４２】
（処理Ｔ５）
Ｓ−ＣＳＣＦ３１およびＡＳ３２は、メディア経路情報制御機能１４１により、受信されたセッション開始要求に含まれていたメディア経路情報について、要求元と要求先で経路の最適化処理が起こらないようにメディア経路情報を削除し、あるいは経路の最適化が起こらないようなダミーのメディア経路情報への置換を行い、そして、ＵＥ２１−１のＩＰアドレス、ポートおよびコーデック等のＳＤＰ情報要素を最近の装置（ここでは、ＩＭＳ−ＡＬＧ２３−２）のＳＤＰ情報要素へ置換してセッション開始要求信号を転送する。
【００４３】
（処理Ｔ６）
Ｓ−ＣＳＣＦ３１およびＡＳ３２から転送されたセッション開始要求は、ＩＭＳ−ＡＬＧ２３−３により中継される。ＩＭＳ−ＡＬＧ２３−３は、当該セッション開始要求を中継する際に、メディア経路情報制御機能１３１−１により、当該セッション開始要求に対して自装置に関する所定のメディア経路情報をＳＤＰに付与したセッション開始要求の信号を転送する。
この所定のメディア経路情報は、例えば、自装置が位置するネットワークの識別子（ネットワークＩＤ）の情報や、自装置に対応するＴｒＧＷ２４−３におけるメディア信号の転送能力など（例えば、メディアのコーデックなど）に関する提供可能な能力情報などを含む。
【００４４】
（処理Ｔ７）
ＩＭＳ−ＡＬＧ２３−３から転送されたセッション開始要求は、ＩＭＳ−ＡＬＧ２３−４により中継される。ＩＭＳ−ＡＬＧ２３−４は、当該セッション開始要求を中継する際に、メディア経路情報制御機能１３１−２により、当該セッション開始要求に対して自装置に関する所定のメディア経路情報をＳＤＰに付与したセッション開始要求の信号を転送する。
この所定のメディア経路情報は、例えば、自装置が位置するネットワークの識別子（ネットワークＩＤ）の情報や、自装置に対応するＴｒＧＷ２４−４におけるメディア信号の転送能力など（例えば、メディアのコーデックなど）に関する提供可能な能力情報などを含む。
ＩＭＳ−ＡＬＧ２３−４から転送されたセッション開始要求は、Ｐ−ＣＳＣＦ２２−２を介して、要求先のＵＥ２１−２に対して信号送信される。この際、Ｐ−ＣＳＣＦ２２−２は、受信されたセッション開始要求に含まれていたメディア経路情報について、要求先のＵＥ２１−２に通知しないように中継装置（ここでは、ＩＭＳ−ＡＬＧ２３−３およびＩＭＳ−ＡＬＧ２３−４、あるいは、処理Ｔ５でダミーを含めた場合は当該ダミー）のメディア経路情報を削除する。
【００４５】
（処理Ｔ８）
Ｐ−ＣＳＣＦ２２−２から転送されたセッション開始要求は、要求先のＵＥ２１−２により受信される。要求先のＵＥ２１−２は、成功応答を送信（返却）する。成功応答には、要求先のＵＥ２１−２のＩＰアドレス、ポートおよびセッションにおいて使用したいコーデックなどの情報を含むＳＤＰを有する。
【００４６】
（処理Ｔ９）
要求先のＵＥ２１−２から送信された成功応答は、Ｐ−ＣＳＣＦ２２−２を介して、ＩＭＳ−ＡＬＧ２３−４により中継される。ＩＭＳ−ＡＬＧ２３−４は、当該成功応答を中継する際に、メディア経路情報制御機能１３１−２により、当該成功応答に対して自装置に関する所定のメディア経路情報をＳＤＰに付与した成功応答の信号を転送する。
この所定のメディア経路情報は、例えば、自装置が位置するネットワークの識別子（ネットワークＩＤ）の情報や、自装置に対応するＴｒＧＷ２４−４におけるメディア信号の転送能力など（例えば、メディアのコーデックなど）に関する提供可能な能力情報などを含む。
【００４７】
（処理Ｔ１０）
ＩＭＳ−ＡＬＧ２３−４から転送された成功応答は、ＩＭＳ−ＡＬＧ２３−３により中継される。ＩＭＳ−ＡＬＧ２３−３は、当該成功応答を中継する際に、メディア経路情報制御機能１３１−１により、当該成功応答に対して自装置に関する所定のメディア経路情報をＳＤＰに付与した成功応答の信号を転送する。
この所定のメディア経路情報は、例えば、自装置が位置するネットワークの識別子（ネットワークＩＤ）の情報や、自装置に対応するＴｒＧＷ２４−３におけるメディア信号の転送能力など（例えば、メディアのコーデックなど）に関する提供可能な能力情報などを含む。
【００４８】
（処理Ｔ１１）
Ｓ−ＣＳＣＦ３１およびＡＳ３２は、ＩＭＳ−ＡＬＧ２３−３から転送された成功応答を受信する。Ｓ−ＣＳＣＦ３１およびＡＳ３２は、メディア経路情報保持機能１４２により、受信された成功応答に含まれる所定の情報（情報要素）を抽出（取得）して記憶部に記憶して保持する。
この所定の情報は、ＩＭＳ−ＡＬＧの群（ここでは、ＩＭＳ−ＡＬＧ２３−４およびＩＭＳ−ＡＬＧ２３−３）に関するメディア経路情報を含むＳＤＰの情報である。この所定の情報は、要求先のＩＭＳ網の情報要素である。
【００４９】
（処理Ｔ１２）
Ｓ−ＣＳＣＦ３１およびＡＳ３２は、メディア経路情報制御機能１４１により、受信された成功応答に含まれていたメディア経路情報について、要求元と要求先で経路の最適化処理が起こらないようにメディア経路情報を削除し、あるいは経路の最適化が起こらないようなダミーのメディア経路情報への置換を行い、そして、ＵＥ２１−２のＩＰアドレス、ポートおよびコーデック等のＳＤＰ情報要素を最近の装置（ここでは、ＩＭＳ−ＡＬＧ２３−３）のＳＤＰ情報要素へ置換して成功応答を転送する。
【００５０】
（処理Ｔ１３）
Ｓ−ＣＳＣＦ３１およびＡＳ３２から転送された成功応答は、ＩＭＳ−ＡＬＧ２３−２により中継される。ＩＭＳ−ＡＬＧ２３−２は、当該成功応答を中継する際に、メディア経路情報制御機能１２１−２により、当該成功応答に対して自装置に関する所定のメディア経路情報をＳＤＰに付与した成功応答の信号を転送する。
この所定のメディア経路情報は、例えば、自装置が位置するネットワークの識別子（ネットワークＩＤ）の情報や、自装置に対応するＴｒＧＷ２４−２におけるメディア信号の転送能力など（例えば、メディアのコーデックなど）に関する提供可能な能力情報などを含む。
【００５１】
（処理Ｔ１４）
ＩＭＳ−ＡＬＧ２３−２から転送された成功応答は、ＩＭＳ−ＡＬＧ２３−１により中継される。ＩＭＳ−ＡＬＧ２３−１は、当該成功応答を中継する際に、メディア経路情報制御機能１２１−１により、当該成功応答に対して自装置に関する所定のメディア経路情報をＳＤＰに付与した成功応答の信号を転送する。
この所定のメディア経路情報は、例えば、自装置が位置するネットワークの識別子（ネットワークＩＤ）の情報や、自装置に対応するＴｒＧＷ２４−１におけるメディア信号の転送能力など（例えば、メディアのコーデックなど）に関する提供可能な能力情報などを含む。
ＩＭＳ−ＡＬＧ２３−１から転送された成功応答は、Ｐ−ＣＳＣＦ２２−１を介して、要求元のＵＥ２１−１に対して信号送信される。この際、Ｐ−ＣＳＣＦ２２−１は、受信された成功応答に含まれていたメディア経路情報について、要求元のＵＥ２１−１に通知しないように中継装置（ここでは、ＩＭＳ−ＡＬＧ２３−２およびＩＭＳ−ＡＬＧ２３−１、あるいは、処理Ｔ１２でダミーを含めた場合は当該ダミー）のメディア経路情報を削除する。
【００５２】
（処理Ｔ１５）
ＩＭＳ−ＡＬＧ２３−１から転送された成功応答は、要求元のＵＥ２１−１により受信される。
以上の処理のステップにより、要求元のＵＥ２１−１と要求先のＵＥ２１−２との間で、中継装置（ここでは、ＩＭＳ−ＡＬＧ２３−１〜ＩＭＳ−ＡＬＧ２３−４）を経由する経路で、マルチメディア通信（マルチメディアの送信や受信）を確立する。
なお、本実施形態では（処理Ｔ１）〜（処理Ｔ１４）においてＳＤＰオファーをセッション開始要求に載せ、ＳＤＰアンサーを成功応答に載せる手順を記述しているが、例えばＳＤＰオファーをセッション開始要求に載せ、ＳＤＰアンサーを暫定応答に載せる手順など、ＳＤＰオファーアンサーモデルが実現可能であれば他の手順であってもよい。
【００５３】
（処理Ｔ１６）
次に、Ｓ−ＣＳＣＦ３１およびＡＳ３２は、メディア経路最適化判定機能１４３により、（処理Ｔ４）および（処理Ｔ１１）において取得して保持したメディア経路情報、および所定の判定基準の情報に基づいて、メディア信号を通信する経路（メディア経路）の最適化を行うか否か（経路の切り替えを行うか否か）を判定する。この結果、Ｓ−ＣＳＣＦ３１およびＡＳ３２は、メディア経路最適化判定機能１４３により、メディア経路の最適化を行うことを判定した場合には、後続する処理（第１実施形態では、（処理Ｔ２１）〜（処理Ｔ３９））を行うことで、最適なメディア経路への切り替えを行う。一方、Ｓ−ＣＳＣＦ３１およびＡＳ３２は、メディア経路最適化判定機能１４３により、メディア経路の最適化を行わないことを判定した場合には、本フローの処理を終了する。
なお、Ｓ−ＣＳＣＦ３１およびＡＳ３２は、要求元のＵＥ２１−１が属するネットワークと、要求先のＵＥ２１−２が属するネットワークとが、同一のネットワークであるか否かを判定する機能を有してもよい。
【００５４】
ここで、所定の判定基準の情報としては、様々なものが用いられてもよく、本実施形態で例示されるものに限定されない。一例として、所定の判定基準の情報は、ＳＩＰメッセージに搭載された情報やＳ−ＣＳＣＦ３１やＡＳ３２が有する契約者やサービスに関する情報を元に設定されてもよい。
このような所定の判定基準の情報は、例えば、Ｓ−ＣＳＣＦ３１あるいはＡＳ３２あるいは外部の記憶部に記憶されて参照される。
このような所定の判定基準の情報は、例えば、あらかじめ用意されて設定されてもよく、または、任意のタイミングで設定されてもよい。
【００５５】
以下で、所定の判定基準の例を示す。
＜所定の判定基準の例１：エンコーディング能力に関する基準＞
各ＩＭＳ−ＡＬＧ２３−１〜２３−４により、経路に関する情報として、ネットワーク識別子（ネットワークＩＤ）の情報をメッセージ（本実施形態では、セッション開始要求および成功応答）に搭載し、さらに、提供可能な能力情報として、メディアに対するエンコーディング能力の情報をメッセージに搭載する。
Ｓ−ＣＳＣＦ３１およびＡＳ３２は、所定の判定基準の情報として、サービスの提供にあたり必要となる一定以上のメディアのエンコーディング能力についての基準の情報を用いる。Ｓ−ＣＳＣＦ３１およびＡＳ３２は、メディア経路最適化判定機能１４３により、このような判定基準の情報に基づいて、経路上の各ノードにおけるメディアのエンコーディング能力が基準を満たす場合にメディア経路の最適化を行うか否かを判定する処理や、メディア経路の最適化を行う場合にいずれの経路を最適化するかを決定する処理を行う。
具体的には、一例として、各ノードにおいて特定の方式のエンコーディング能力が必要であるという判定基準を用いることができる。この場合、Ｓ−ＣＳＣＦ３１およびＡＳ３２は、メディア経路最適化判定機能１４３により、メッセージに搭載された情報に基づいて、ＩＭＳ−ＡＬＧ２３−１〜ＩＭＳ−ＡＬＧ２３−４のすべてが前記した特定の方式のエンコーディング能力を有すると判定したときに、メディア経路の最適化を行うことを判定する。このとき、Ｓ−ＣＳＣＦ３１およびＡＳ３２は、例えば、要求元のＵＥ２１−１と要求先のＵＥ２１−２とを接続する経路であって、ＩＭＳ−ＡＬＧ２３−１〜ＩＭＳ−ＡＬＧ２３−４の区間を最適化（例えば、短縮）した経路に切り替える（当該経路を確立する）ことを決定する。一方、Ｓ−ＣＳＣＦ３１およびＡＳ３２は、メディア経路最適化判定機能１４３により、メッセージに搭載された情報に基づいて、ＩＭＳ−ＡＬＧ２３−１〜ＩＭＳ−ＡＬＧ２３−４のうちの１以上が前記した特定の方式のエンコーディング能力を有しないと判定したときには、（例えば、経路としては最適化できても）メディア経路の最適化を行わないことを判定する。
【００５６】
＜所定の判定基準の例２：特定のオペレータの経由に関する基準＞
Ｓ−ＣＳＣＦ３１およびＡＳ３２は、所定の判定基準の情報として、最適化（例えば、短縮）する経路の組み合わせの優先度の情報を用いる。
具体的には、一例として、サービスの提供条件として、特定のオペレータのネットワークのみ最適化するという判定基準を用いることができる。この場合、Ｓ−ＣＳＣＦ３１およびＡＳ３２は、メディア経路最適化判定機能１４３により、メッセージに搭載された情報（オペレータに関する情報）に基づいて、所定のＩＭＳ−ＡＬＧ（例えば、ＩＭＳ−ＡＬＧ２３−１、ＩＭＳ−ＡＬＧ２３−４）が前記した特定のオペレータであると判定したときにのみ、メディア経路の最適化を行うことを判定する。このとき、Ｓ−ＣＳＣＦ３１およびＡＳ３２は、例えば、要求元のＵＥ２１−１と要求先のＵＥ２１−２とを接続する経路であって、ＩＭＳ−ＡＬＧ２３−１〜ＩＭＳ−ＡＬＧ２３−４の区間を最適化した経路に切り替える（当該経路を確立する）ことを決定する。一方、Ｓ−ＣＳＣＦ３１およびＡＳ３２は、メディア経路最適化判定機能１４３により、メッセージに搭載された情報に基づいて、前記した特定のオペレータの条件を満たさないと判定したときには、（例えば、経路としては最適化できても）メディア経路の最適化を行わないことを判定する。
【００５７】
＜所定の判定基準の例３：メディアの種類に関する基準＞
Ｓ−ＣＳＣＦ３１およびＡＳ３２は、所定の判定基準の情報として、メディアの種類ごとにメディア経路の最適化（例えば、短縮）を行うか否かを定めた情報を用いる。
具体的には、一例として、特定のメディアの種類（例えば、ビデオ）についてはメディア経路の最適化を行い、それ以外のメディアの種類（例えば、ビデオ以外）についてはメディア経路の最適化を行わないという判定基準を用いることができる。この場合、Ｓ−ＣＳＣＦ３１およびＡＳ３２は、メディア経路最適化判定機能１４３により、メッセージに搭載された情報（メディアの種類に関する情報）に基づいて、前記した特定のメディアの種類であると判定したときにのみ、メディア経路の最適化を行うことを判定する。このとき、Ｓ−ＣＳＣＦ３１およびＡＳ３２は、例えば、要求元のＵＥ２１−１と要求先のＵＥ２１−２とを接続する経路であって、ＩＭＳ−ＡＬＧ２３−１〜ＩＭＳ−ＡＬＧ２３−４の区間を最適化した経路に切り替える（当該経路を確立する）ことを決定する。一方、Ｓ−ＣＳＣＦ３１およびＡＳ３２は、メディア経路最適化判定機能１４３により、メッセージに搭載された情報に基づいて、前記した特定のメディアの種類以外の種類であると判定したときには、（例えば、経路としては最適化できても）メディア経路の最適化を行わないことを判定する。
例えば、Ｓ−ＣＳＣＦ３１およびＡＳ３２は、メディア経路最適化判定機能１４３により、転送されるＳＩＰメッセージに記載されたメディアの種類を確認し、確認したメディアの種類が特定のメディアの種類（例えば、ビデオ）であった場合にメディア経路の最適化を行うことを判定する。そして、Ｓ−ＣＳＣＦ３１およびＡＳ３２は、（処理Ｔ１６）より後のステップの処理において、ＳＤＰに含まれる前記した特定のメディアの種類（例えば、ビデオ）の項目だけメディア経路の最適化を行い、他の項目についてはメディア経路の最適化を行わない。具体例として、前記した特定のメディアの種類をビデオとすると、大容量の通信となるビデオ通信の時には、最適な経路（最適化された経路）を通ることで、伝送遅延を防ぐとともに、経路上のネットワークへの負荷を軽減することが期待できる。
【００５８】
＜所定の判定基準の例４：特定のユーザに関する基準＞
Ｓ−ＣＳＣＦ３１およびＡＳ３２は、所定の判定基準の情報として、特定のユーザ（例えば、特定のユーザ端末）についてのみメディア経路の最適化（例えば、短縮）を行うという情報を用いる。
具体的には、一例として、ユーザに関する情報であるユーザの契約者情報に基づいて、ローミング時に最適化されたメディア経路を使用することがオプション契約としてあるか否かを判定することが可能であり、このようなオプション契約がある場合にのみメディア経路の最適化を行うという判定基準を用いることができる。この場合、Ｓ−ＣＳＣＦ３１およびＡＳ３２は、メディア経路最適化判定機能１４３により、メッセージに搭載された情報（例えば、ＳＩＰメッセージに搭載されたユーザに関する情報）に基づいて、前記した特定のユーザに関する基準を満たすと判定したときにのみ、メディア経路の最適化を行うことを判定する。このとき、Ｓ−ＣＳＣＦ３１およびＡＳ３２は、例えば、要求元のＵＥ２１−１と要求先のＵＥ２１−２とを接続する経路であって、ＩＭＳ−ＡＬＧ２３−１〜ＩＭＳ−ＡＬＧ２３−４の区間を最適化した経路に切り替える（当該経路を確立する）ことを決定する。一方、Ｓ−ＣＳＣＦ３１およびＡＳ３２は、メディア経路最適化判定機能１４３により、メッセージに搭載された情報に基づいて、前記した特定のユーザに関する基準を満たさないと判定したときには、（例えば、経路としては最適化できても）メディア経路の最適化を行わないことを判定する。
【００５９】
次に、最適化が行われたメディア経路を使用するように切り替える処理について、第１のパターン（パターン１）の例を示す。
【００６０】
（処理Ｔ２１）
Ｓ−ＣＳＣＦ３１およびＡＳ３２は、要求先のＵＥ２１−２に対して、ＳＤＰを含まないセッション修正要求を送信する。
ここで、セッション修正要求としては、例えば、ＳＩＰのＩＮＶＩＴＥという信号を用いることが可能である。
【００６１】
（処理Ｔ２２）
Ｓ−ＣＳＣＦ３１およびＡＳ３２から送信されたＳＤＰを含まないセッション修正要求は、ＩＭＳ−ＡＬＧ２３−３により中継される。
【００６２】
（処理Ｔ２３）
ＩＭＳ−ＡＬＧ２３−３から転送されたＳＤＰを含まないセッション修正要求は、ＩＭＳ−ＡＬＧ２３−４により中継される。
ＩＭＳ−ＡＬＧ２３−４から転送されたＳＤＰを含まないセッション修正要求は、Ｐ−ＣＳＣＦ２２−２を介して、要求先のＵＥ２１−２に対して信号送信される。
【００６３】
（処理Ｔ２４）
Ｐ−ＣＳＣＦ２２−２から転送されたＳＤＰを含まないセッション修正要求は、要求先のＵＥ２１−２により受信される。要求先のＵＥ２１−２は、ＳＤＰを含む修正成功応答を送信（返却）する。
【００６４】
（処理Ｔ２５）
要求先のＵＥ２１−２から送信されたＳＤＰを含む修正成功応答は、Ｐ−ＣＳＣＦ２２−２を介して、ＩＭＳ−ＡＬＧ２３−４により中継される。ＩＭＳ−ＡＬＧ２３−４は、当該修正成功応答を中継する際に、メディア経路情報制御機能１３１−２により、当該修正成功応答に対して自装置に関する所定のメディア経路情報をＳＤＰに付与した修正成功応答の信号を転送する。
この所定のメディア経路情報は、例えば、自装置が位置するネットワークの識別子（ネットワークＩＤ）の情報や、自装置に対応するＴｒＧＷ２４−４におけるメディア信号の転送能力など（例えば、メディアのコーデックなど）に関する提供可能な能力情報などを含む。
【００６５】
（処理Ｔ２６）
ＩＭＳ−ＡＬＧ２３−４から転送されたＳＤＰを含む修正成功応答は、ＩＭＳ−ＡＬＧ２３−３により中継される。ＩＭＳ−ＡＬＧ２３−３は、当該修正成功応答を中継する際に、メディア経路情報制御機能１３１−１により、当該修正成功応答に対して自装置に関する所定のメディア経路情報をＳＤＰに付与した修正成功応答の信号を転送する。
この所定のメディア経路情報は、例えば、自装置が位置するネットワークの識別子（ネットワークＩＤ）の情報や、自装置に対応するＴｒＧＷ２４−３におけるメディア信号の転送能力など（例えば、メディアのコーデックなど）に関する提供可能な能力情報などを含む。
【００６６】
（処理Ｔ２７）
Ｓ−ＣＳＣＦ３１およびＡＳ３２は、ＩＭＳ−ＡＬＧ２３−３から転送されたＳＤＰを含む修正成功応答を受信する。Ｓ−ＣＳＣＦ３１およびＡＳ３２は、受信された修正成功応答に含まれるＩＭＳ−ＡＬＧの群（ここでは、ＩＭＳ−ＡＬＧ２３−４およびＩＭＳ−ＡＬＧ２３−３）に関するメディア経路情報を含むＳＤＰの情報をそのまま引き継いで、要求元のＵＥ２１−１に対して、セッション修正要求を送信する。
【００６７】
（処理Ｔ２８）
Ｓ−ＣＳＣＦ３１およびＡＳ３２から転送されたＳＤＰを含むセッション修正要求は、ＩＭＳ−ＡＬＧ２３−２により中継される。ＩＭＳ−ＡＬＧ２３−２は、当該セッション修正要求を中継する際に、メディア経路情報制御機能１２１−２により、当該セッション修正要求に対して自装置に関する所定のメディア経路情報をＳＤＰに付与したセッション修正要求の信号を転送する。
この所定のメディア経路情報は、例えば、自装置が位置するネットワークの識別子（ネットワークＩＤ）の情報や、自装置に対応するＴｒＧＷ２４−２におけるメディア信号の転送能力など（例えば、メディアのコーデックなど）に関する提供可能な能力情報などを含む。
【００６８】
（処理Ｔ２９）
ＩＭＳ−ＡＬＧ２３−２から転送されたＳＤＰを含むセッション修正要求は、ＩＭＳ−ＡＬＧ２３−１により中継される。ＩＭＳ−ＡＬＧ２３−１は、当該セッション修正要求を中継する際に、メディア経路情報制御機能１２１−１により、受信されたセッション修正要求に含まれるＳＤＰから所定の情報を削除し、要求先のＵＥ２１−２に関する能力情報（のみ）をＳＤＰに残して、当該セッション修正要求を転送する。
この所定の情報は、ＩＭＳ−ＡＬＧの群（ここでは、ＩＭＳ−ＡＬＧ２３−４、ＩＭＳ−ＡＬＧ２３−３およびＩＭＳ−ＡＬＧ２３−２）に関するメディア経路情報のすべてである。
ＩＭＳ−ＡＬＧ２３−１から転送されたＳＤＰを含むセッション修正要求は、Ｐ−ＣＳＣＦ２２−１を介して、要求元のＵＥ２１−１に対して信号送信される。
【００６９】
（処理Ｔ３０）
Ｐ−ＣＳＣＦ２２−１から転送されたＳＤＰを含むセッション修正要求は、要求元のＵＥ２１−１により受信される。要求元のＵＥ２１−１は、ＳＤＰを含む修正成功応答を送信（返却）する。
【００７０】
（処理Ｔ３１）
要求元のＵＥ２１−１から送信されたＳＤＰを含む修正成功応答は、Ｐ−ＣＳＣＦ２２−１を介して、ＩＭＳ−ＡＬＧ２３−１により中継される。ＩＭＳ−ＡＬＧ２３−１は、当該修正成功応答を中継する際に、メディア経路情報制御機能１２１−１により、当該修正成功応答に対して自装置に関する所定のメディア経路情報をＳＤＰに付与した修正成功応答の信号を転送する。
この所定のメディア経路情報は、例えば、自装置が位置するネットワークの識別子（ネットワークＩＤ）の情報や、ＴｒＧＷ２４−１におけるメディア信号の転送能力など（例えば、メディアのコーデックなど）に関する提供可能な能力情報などを含む。
【００７１】
（処理Ｔ３２）
ＩＭＳ−ＡＬＧ２３−１から転送されたＳＤＰを含む修正成功応答は、ＩＭＳ−ＡＬＧ２３−２により中継される。ＩＭＳ−ＡＬＧ２３−２は、当該修正成功応答を中継する際に、メディア経路情報制御機能１２１−２により、当該修正成功応答に対して自装置に関する所定のメディア経路情報をＳＤＰに付与した修正成功応答の信号を転送する。
この所定のメディア経路情報は、例えば、自装置が位置するネットワークの識別子（ネットワークＩＤ）の情報や、自装置に対応するＴｒＧＷ２４−２におけるメディア信号の転送能力など（例えば、メディアのコーデックなど）に関する提供可能な能力情報などを含む。
【００７２】
（処理Ｔ３３）
Ｓ−ＣＳＣＦ３１およびＡＳ３２は、ＩＭＳ−ＡＬＧ２３−２から転送されたＳＤＰを含む修正成功応答を受信する。Ｓ−ＣＳＣＦ３１およびＡＳ３２は、受信された修正成功応答に含まれるＩＭＳ−ＡＬＧの群（ここでは、ＩＭＳ−ＡＬＧ２３−１およびＩＭＳ−ＡＬＧ２３−２）に関するメディア経路情報を含むＳＤＰの情報をそのまま引き継いで、要求先のＵＥ２１−２に対して、ＳＤＰを含む応答確認を送信する。
【００７３】
（処理Ｔ３４）
Ｓ−ＣＳＣＦ３１およびＡＳ３２から転送されたＳＤＰを含む応答確認は、ＩＭＳ−ＡＬＧ２３−３により中継される。ＩＭＳ−ＡＬＧ２３−３は、当該応答確認を中継する際に、メディア経路情報制御機能１３１−１により、当該応答確認に対して自装置に関する所定のメディア経路情報をＳＤＰに付与した応答確認の信号を転送する。
この所定のメディア経路情報は、例えば、自装置が位置するネットワークの識別子（ネットワークＩＤ）の情報や、自装置に対応するＴｒＧＷ２４−３におけるメディア信号の転送能力など（例えば、メディアのコーデックなど）に関する提供可能な能力情報などを含む。
【００７４】
（処理Ｔ３５）
ＩＭＳ−ＡＬＧ２３−３から転送されたＳＤＰを含む応答確認は、ＩＭＳ−ＡＬＧ２３−４により中継される。ＩＭＳ−ＡＬＧ２３−４は、当該応答確認を中継する際に、メディア経路情報制御機能１３１−２により、受信された応答確認に含まれるＳＤＰから所定の情報を削除し、要求元のＵＥ２１−１に関する能力情報（のみ）をＳＤＰに残して、当該応答確認を転送する。
この所定の情報は、ＩＭＳ−ＡＬＧの群（ここでは、ＩＭＳ−ＡＬＧ２３−１、ＩＭＳ−ＡＬＧ２３−２およびＩＭＳ−ＡＬＧ２３−３）に関するメディア経路情報のすべてである。
ＩＭＳ−ＡＬＧ２３−４から転送されたＳＤＰを含む応答確認は、Ｐ−ＣＳＣＦ２２−２を介して、要求先のＵＥ２１−２に対して信号送信される。
【００７５】
（処理Ｔ３６）
Ｓ−ＣＳＣＦ３１およびＡＳ３２は、処理Ｔ３２における修正成功応答に対してＳＤＰを含まない応答確認を送信する。
【００７６】
（処理Ｔ３７）
Ｓ−ＣＳＣＦ３１およびＡＳ３２から送信（転送）されたＳＤＰを含まない応答確認は、ＩＭＳ−ＡＬＧ２３−２により中継される。
【００７７】
（処理Ｔ３８）
ＩＭＳ−ＡＬＧ２３−２から転送されたＳＤＰを含まない応答確認は、ＩＭＳ−ＡＬＧ２３−１により中継される。
ＩＭＳ−ＡＬＧ２３−１から転送されたＳＤＰを含まない応答確認は、Ｐ−ＣＳＣＦ２２−１を介して、要求元のＵＥ２１−１に対して信号送信される。
【００７８】
（処理Ｔ３９）
ＩＭＳ−ＡＬＧ２３−１から転送されたＳＤＰを含まない応答確認は、要求元のＵＥ２１−１により受信される。
以上の処理のステップにより、要求元のＵＥ２１−１と要求先のＵＥ２１−２との間で（処理Ｔ１５）において経由していた中継装置（ここでは、ＩＭＳ−ＡＬＧ２３−１〜ＩＭＳ−ＡＬＧ２３−４）を経由しない経路で、要求元のＵＥ２１−１と要求先のＵＥ２１−２との間で、直接、マルチメディア通信（マルチメディアの送信や受信）を確立する。
【００７９】
なお、本例では、要求元のＵＥ２１−１と要求先のＵＥ２１−２との間で、直接、マルチメディア通信を確立する場合を示したが、例えば、要求元のＵＥ２１−１と要求先のＵＥ２１−２との間で、一部の中継装置（ここでは、ＩＭＳ−ＡＬＧ２３−１〜ＩＭＳ−ＡＬＧ２３−４のうちの３個以下）を経由する経路で、マルチメディア通信を確立する場合が用いられてもよい。
【００８０】
このように、メディア経路の切り替え手順の第１のパターンでは、（処理Ｔ２１）においてＳ−ＣＳＣＦ３１およびＡＳ３２が要求先ＩＰ網１２（要求先のＵＥ２１−２）に対して経路再選択の契機を与える。なお、他の構成例として、（処理Ｔ２１）の処理の代わりに、Ｓ−ＣＳＣＦ３１およびＡＳ３２が要求元ＩＰ網１１（要求先のＵＥ２１−１）に対して経路再選択の契機を与えてもよく、この場合、以降の処理は、概略的には、（処理Ｔ２２）〜（処理Ｔ３８）に対して、要求先ＩＰ網１２と要求元ＩＰ網１１が逆になった処理となる。
具体的には、この第１のパターンでは、Ｓ−ＣＳＣＦ３１およびＡＳ３２は、把握した要求元の情報および要求先の情報がメディア経路の最適化を行うための基準を満たすことを判定した場合に、それ以上の処理を行わず、要求元および要求先に経路再選択の契機を与えて経路再選択の処理を実行させる。つまり、Ｓ−ＣＳＣＦ３１およびＡＳ３２は、要求元および要求先に経路再選択の契機を与えること（だけ）を行い、実際に経路再選択を実行するか否かについてや、どのような経路を再選択（切り替え）するかについては、要求元ＩＰ網１１や要求先ＩＰ網１２に任せる。本実施形態では、Ｓ−ＣＳＣＦ３１およびＡＳ３２により行われる処理を簡素化させることができる。
【００８１】
以上のように、本実施形態に係るサービス制御装置１０３（例えば、判定部２０２）は、ＩＭＳのネットワークにおいて、要求元と要求先の間に配置され、双方のサービス提供ポリシーを持ち、要求元の端末装置（ＵＥ２１−１）と要求先の端末装置（ＵＥ２１−２）との間の通信セッションにおけるメディア経路を確立する際に、メディア経路の最適化を行うか否かを判定する。
【００８２】
通信システム１では、要求元のＵＥ２１−１からのセッション開始要求を、要求元のＵＥ２１−１からサービス制御装置１０３までの間に配置される信号中継サーバ１０１（例えば、１または複数のＩＭＳ−ＡＬＧ）のメディア経路情報制御機能１２１により、信号中継サーバ１０１のネットワーク識別子や能力情報を付与しながら転送する。
サービス制御装置１０３は、メディア経路情報保持機能１４２により、セッション開始要求が転送された途中の経路の情報を保持する。また、サービス制御装置１０３は、メディア経路情報制御機能１４１により、セッション開始要求に含まれる要求元側の情報のうち不要な信号中継サーバ１０１のネットワーク識別子や能力情報を削除（あるいは、ダミーの情報へ置換）して、当該セッション開始要求を要求先のＵＥ２１−２に対して転送することで、要求先において要求元との最適化経路（最適化されたメディア経路）が確立されないようにする。
セッション開始要求に対する応答（例えば、成功応答）が要求先のＵＥ２１−２からサービス制御装置１０３まで返信されるときに、要求先のＵＥ２１−２からサービス制御装置１０３までの間に配置される信号中継サーバ１０２（例えば、１または複数のＩＭＳ−ＡＬＧ）のメディア経路情報制御機能１３１により、信号中継サーバ１０２のネットワーク識別子や能力情報を付与しながら転送する。
サービス制御装置１０３は、メディア経路情報保持機能１４２により、応答が転送された途中の経路の情報を保持する。また、サービス制御装置１０３は、メディア経路情報制御機能１４１により、応答に含まれる要求先側の情報のうち不要な信号中継サーバ１０２のネットワーク識別子や能力情報を削除（あるいは、ダミーの情報へ置換）して、当該応答を要求元のＵＥ２１−１に対して転送することで、要求元において要求先との最適化経路（最適化されたメディア経路）が確立されないようにする。これにより、要求元のＵＥ２１−１と要求先のＵＥ２１−２との間のセッションが開始する。
また、サービス制御装置１０３は、メディア経路最適化判定機能１４３により、保持された要求先側および要求元側の途中の経路の情報を用いてメディア経路の最適化の要否を判定し、その判定結果に基づいて、メディア経路の最適化の処理が信号中継サーバ１０１、１０２により行われるようにする。
【００８３】
ここで、サービス制御装置１０３としては、例えば、Ｓ−ＣＳＣＦ３１およびＡＳ３２のうちの一方または両方が用いられてもよい。
また、信号中継サーバ１０１や信号中継サーバ１０２としては、本実施形態では、ＩＭＳ−ＡＬＧ２３−１〜２３−４が用いられている。
【００８４】
以上のように、本実施形態に係る通信システム１では、要求元ＩＰ網１１および要求先ＩＰ網１２のメディア経路情報を取得し、これらのメディア経路情報に基づいて、メディア経路の最適化を行うか否かを判定して切り替えることで、複数のネットワーク（本実施形態では、要求元ＩＰ網１１および要求先ＩＰ網１２）の状況に応じてメディア信号の経路の効率化を図ることができる。このように、本実施形態では、要求元ＩＰ網１１の情報だけでなく、要求先ＩＰ１２網の情報も考慮して、メディア経路の最適化の要否を判定することができる。
【００８５】
一例として、本実施形態では、ローミングサービスにおいて、所定の業者（例えば、信頼できるローミング提携事業者）とのマルチメディア通信に限定してメディア経路の最適化が実行されるように設定しておくことが可能であり、メディア経路の最適化の結果、品質面で信頼性の高いマルチメディア通信サービスを実現することが可能となる。ローミングとしては、例えば、国際ローミングに適用することも可能である。
【００８６】
なお、本実施形態では、要求元ＩＰ網１１と要求先ＩＰ網１２との間に１つのＩＰ中継網１３を備える構成としたが、他の構成例として、要求元ＩＰ網１１と要求先ＩＰ網１２との間に複数のＩＰ中継網が備えられてもよい。一例として、マルチメディア通信において、要求元のＩＰ網および要求先のＩＰ網に関するマルチメディアサービス提供のための要求条件（例えば、要求元のＩＰ網および要求先のＩＰ網に関する性能などの条件）に応じて、要求元と要求先の間に位置する複数のＩＰ中継網における１個以上のサービス制御装置（例えば、判定部）が、メディア経路の最適化の要否を判定してもよい。
【００８７】
また、本実施形態では、要求元側のネットワークとして、１つのネットワーク（要求元ＩＰ網１１）が存在する場合を示したが、他の構成例として、２つ以上のネットワークが存在してもよい。
また、本実施形態では、要求先側のネットワークとして、１つのネットワーク（要求先ＩＰ網１２）が存在する場合を示したが、他の構成例として、２つ以上のネットワークが存在してもよい。
【００８８】
また、本実施形態では、要求元のＵＥ２１−１と要求先のＵＥ２１−２とが通信する場合を示したが、他の構成例として、要求元と要求先のうちの一方または両方の装置が、ＵＥ以外の装置であってもよく、一例として、サーバ装置であってもよい。
また、メディアとしては、様々なものが用いられてもよく、例えば、音声、静止画、動画などが用いられてもよい。動画として、テレビ電話の動画が用いられてもよい。
【００８９】
（第２実施形態）
図５は、本発明の一実施形態（第２実施形態）に係る通信システム１において行われる処理の流れの一例を示す処理シーケンスの図である。
図５には、図４に示される処理シーケンスと同様な形式で、他の処理シーケンスを示してある。
本実施形態に係る図５に示される処理シーケンスでは、Ｓ−ＣＳＣＦ３１およびＡＳ３２がメディア経路を切り替えるか否かを判定するまでの処理である（処理Ｔ１）〜（処理Ｔ１６）については、図４に示される処理シーケンスの場合と同様であり、同じ符号を付してある。
【００９０】
次に、最適化が行われたメディア経路を使用するように切り替える処理について、第２のパターン（パターン２）の例を示す。
【００９１】
（処理Ｔ１０１）
Ｓ−ＣＳＣＦ３１およびＡＳ３２は、メディア経路情報保持機能１４２により要求元ＩＰ網１１向けに保持していた要求先側のＩＭＳ−ＡＬＧ群（ここでは、ＩＭＳ−ＡＬＧ２３−４およびＩＭＳ−ＡＬＧ２３−３）に関するメディア経路情報をＳＤＰに付与したセッション更新要求の信号を送信する。
ここで、セッション更新要求としては、例えば、ＳＩＰのＵＰＤＡＴＥという信号を用いることが可能である。なお、他の構成例として、セッション更新要求として、ＳＩＰのＩＮＶＩＴＥという信号が用いられてもよい。
【００９２】
（処理Ｔ１０２）
Ｓ−ＣＳＣＦ３１およびＡＳ３２から転送されたセッション更新要求は、ＩＭＳ−ＡＬＧ２３−２により中継される。ＩＭＳ−ＡＬＧ２３−２は、当該セッション更新要求を中継する際に、メディア経路情報制御機能１２１−２により、当該セッション更新要求に対して自装置に関する所定のメディア経路情報をＳＤＰに付与したセッション更新要求の信号を転送する。
この所定のメディア経路情報は、例えば、自装置が位置するネットワークの識別子（ネットワークＩＤ）の情報や、自装置に対応するＴｒＧＷ２４−２におけるメディア信号の転送能力など（例えば、メディアのコーデックなど）に関する提供可能な能力情報などを含む。
【００９３】
（処理Ｔ１０３）
ＩＭＳ−ＡＬＧ２３−２から転送されたセッション更新要求は、ＩＭＳ−ＡＬＧ２３−１により中継される。ＩＭＳ−ＡＬＧ２３−１は、当該セッション更新要求を中継する際に、メディア経路情報制御機能１２１−１により、受信されたセッション更新要求に含まれるＳＤＰから所定の情報を削除し、要求先のＵＥ２１−２に関する能力情報（のみ）をＳＤＰに残して、当該セッション更新要求を転送する。
この所定の情報は、ＩＭＳ−ＡＬＧの群（ここでは、ＩＭＳ−ＡＬＧ２３−４、ＩＭＳ−ＡＬＧ２３−３およびＩＭＳ−ＡＬＧ２３−２）に関するメディア経路情報のすべてである。
ＩＭＳ−ＡＬＧ２３−１から転送されたセッション更新要求は、Ｐ−ＣＳＣＦ２２−１を介して、要求元のＵＥ２１−１に対して信号送信される。
【００９４】
（処理Ｔ１０４）
Ｐ−ＣＳＣＦ２２−１から転送されたセッション更新要求は、要求元のＵＥ２１−１により受信される。要求元のＵＥ２１−１は、ＳＤＰを含む更新成功応答を送信（返却）する。
【００９５】
（処理Ｔ１０５）
要求元のＵＥ２１−１から送信された更新成功応答は、Ｐ−ＣＳＣＦ２２−１を介して、ＩＭＳ−ＡＬＧ２３−１により中継される。ＩＭＳ−ＡＬＧ２３−１は、当該更新成功応答を中継する際に、メディア経路情報制御機能１２１−１により、当該更新成功応答に対して自装置に関する所定のメディア経路情報をＳＤＰに付与した更新成功応答の信号を転送する。
この所定のメディア経路情報は、例えば、自装置が位置するネットワークの識別子（ネットワークＩＤ）の情報や、自装置に対応するＴｒＧＷ２４−１におけるメディア信号の転送能力など（例えば、メディアのコーデックなど）に関する提供可能な能力情報などを含む。
【００９６】
（処理Ｔ１０６）
ＩＭＳ−ＡＬＧ２３−１から転送された更新成功応答は、ＩＭＳ−ＡＬＧ２３−２により中継される。ＩＭＳ−ＡＬＧ２３−２は、当該更新成功応答を中継する際に、メディア経路情報制御機能１２１−２により、当該更新成功応答に対して自装置に関する所定のメディア経路情報をＳＤＰに付与した更新成功応答の信号を転送する。
この所定のメディア経路情報は、例えば、自装置が位置するネットワークの識別子（ネットワークＩＤ）の情報や、ＴｒＧＷ２４−２におけるメディア信号の転送能力など（例えば、メディアのコーデックなど）に関する提供可能な能力情報などを含む。
【００９７】
Ｓ−ＣＳＣＦ３１およびＡＳ３２は、ＩＭＳ−ＡＬＧ２３−２から転送された更新成功応答を受信する。Ｓ−ＣＳＣＦ３１およびＡＳ３２は、受信された更新成功応答に含まれるＩＭＳ−ＡＬＧの群（ここでは、ＩＭＳ−ＡＬＧ２３−１およびＩＭＳ−ＡＬＧ２３−２）に関するメディア経路情報が、メディア経路情報保持機能１４２により当初保持していたメディア経路情報の内容（値）と同じであること（変更ないこと）を確認する。
ここで、Ｓ−ＣＳＣＦ３１およびＡＳ３２は、受信された更新成功応答に含まれるメディア経路情報が、メディア経路情報保持機能１４２により当初保持していたメディア経路情報と同じでないこと（変更あること）を判定した場合には、例えば、所定のエラー処理を行う。他の構成例として、このようなエラー処理が行われない構成が用いられてもよい。
【００９８】
（処理Ｔ１１１）
Ｓ−ＣＳＣＦ３１およびＡＳ３２は、メディア経路情報保持機能１４２により要求先ＩＰ網１２向けに保持していた要求元側のＩＭＳ−ＡＬＧ群（ここでは、ＩＭＳ−ＡＬＧ２３−１およびＩＭＳ−ＡＬＧ２３−２）に関するメディア経路情報をＳＤＰに付与したセッション更新要求の信号を送信する。
【００９９】
（処理Ｔ１１２）
Ｓ−ＣＳＣＦ３１およびＡＳ３２から転送されたセッション更新要求は、ＩＭＳ−ＡＬＧ２３−３により中継される。ＩＭＳ−ＡＬＧ２３−３は、当該セッション更新要求を中継する際に、メディア経路情報制御機能１３１−１により、当該セッション更新要求に対して自装置に関する所定のメディア経路情報をＳＤＰに付与したセッション更新要求の信号を転送する。
この所定のメディア経路情報は、例えば、自装置が位置するネットワークの識別子（ネットワークＩＤ）の情報や、自装置に対応するＴｒＧＷ２４−３におけるメディア信号の転送能力など（例えば、メディアのコーデックなど）に関する提供可能な能力情報などを含む。
【０１００】
（処理Ｔ１１３）
ＩＭＳ−ＡＬＧ２３−３から転送されたセッション更新要求は、ＩＭＳ−ＡＬＧ２３−４により中継される。ＩＭＳ−ＡＬＧ２３−４は、当該セッション更新要求を中継する際に、メディア経路情報制御機能１３１−２により、受信されたセッション更新要求に含まれるＳＤＰから所定の情報を削除し、要求元のＵＥ２１−１に関する能力情報（のみ）をＳＤＰに残して、当該セッション更新要求を転送する。
この所定の情報は、ＩＭＳ−ＡＬＧの群（ここでは、ＩＭＳ−ＡＬＧ２３−１、ＩＭＳ−ＡＬＧ２３−２およびＩＭＳ−ＡＬＧ２３−３）に関するメディア経路情報のすべてである。
ＩＭＳ−ＡＬＧ２３−４から転送されたセッション更新要求は、Ｐ−ＣＳＣＦ２２−２を介して、要求先のＵＥ２１−２に対して信号送信される。
【０１０１】
（処理Ｔ１１４）
Ｐ−ＣＳＣＦ２２−２から転送されたセッション更新要求は、要求先のＵＥ２１−２により受信される。要求先のＵＥ２１−２は、ＳＤＰを含む更新成功応答を送信（返却）する。
【０１０２】
（処理Ｔ１１５）
要求先のＵＥ２１−２から送信された更新成功応答は、Ｐ−ＣＳＣＦ２２−２を介して、ＩＭＳ−ＡＬＧ２３−４により中継される。ＩＭＳ−ＡＬＧ２３−４は、当該更新成功応答を中継する際に、メディア経路情報制御機能１３１−２により、当該更新成功応答に対して自装置に関する所定のメディア経路情報をＳＤＰに付与した更新成功応答の信号を転送する。
この所定のメディア経路情報は、例えば、自装置が位置するネットワークの識別子（ネットワークＩＤ）の情報や、自装置に対応するＴｒＧＷ２４−４におけるメディア信号の転送能力など（例えば、メディアのコーデックなど）に関する提供可能な能力情報などを含む。
【０１０３】
（処理Ｔ１１６）
ＩＭＳ−ＡＬＧ２３−４から転送された更新成功応答は、ＩＭＳ−ＡＬＧ２３−３により中継される。ＩＭＳ−ＡＬＧ２３−３は、当該更新成功応答を中継する際に、メディア経路情報制御機能１３１−１により、当該更新成功応答に対して自装置に関する所定のメディア経路情報をＳＤＰに付与した更新成功応答の信号を転送する。
この所定のメディア経路情報は、例えば、自装置が位置するネットワークの識別子（ネットワークＩＤ）の情報や、自装置に対応するＴｒＧＷ２４−３におけるメディア信号の転送能力など（例えば、メディアのコーデックなど）に関する提供可能な能力情報などを含む。
【０１０４】
Ｓ−ＣＳＣＦ３１およびＡＳ３２は、ＩＭＳ−ＡＬＧ２３−３から転送された更新成功応答を受信する。Ｓ−ＣＳＣＦ３１およびＡＳ３２は、受信された更新成功応答に含まれるＩＭＳ−ＡＬＧの群（ここでは、ＩＭＳ−ＡＬＧ２３−４およびＩＭＳ−ＡＬＧ２３−３）に関するメディア経路情報が、メディア経路情報保持機能１４２により当初保持していたメディア経路情報の内容（値）と同じであること（変更ないこと）を確認する。
ここで、Ｓ−ＣＳＣＦ３１およびＡＳ３２は、受信された更新成功応答に含まれるメディア経路情報が、メディア経路情報保持機能１４２により当初保持していたメディア経路情報と同じでないこと（変更あること）を判定した場合には、例えば、所定のエラー処理を行う。他の構成例として、このようなエラー処理が行われない構成が用いられてもよい。
【０１０５】
なお、（処理Ｔ１０１）〜（処理Ｔ１０６）の処理と、（処理Ｔ１１１）〜（処理Ｔ１１６）の処理とは、例えば、任意の一方の処理が先に行われて、他方の処理が後に行われてもよく、または、これらの処理が並列に行われてもよい。
【０１０６】
（処理Ｔ１２１）
以上の処理のステップにより、要求元のＵＥ２１−１と要求先のＵＥ２１−２との間で（処理Ｔ１５）において経由していた中継装置（ここでは、ＩＭＳ−ＡＬＧ２３−１〜ＩＭＳ−ＡＬＧ２３−４）を経由しない経路で、要求元のＵＥ２１−１と要求先のＵＥ２１−２との間で、直接、マルチメディア通信（マルチメディアの送信や受信）を確立する。
【０１０７】
なお、本例では、要求元のＵＥ２１−１と要求先のＵＥ２１−２との間で、直接、マルチメディア通信を確立する場合を示したが、例えば、要求元のＵＥ２１−１と要求先のＵＥ２１−２との間で、一部の中継装置（ここでは、ＩＭＳ−ＡＬＧ２３−１〜ＩＭＳ−ＡＬＧ２３−４のうちの３個以下）を経由する経路で、マルチメディア通信を確立する場合が用いられてもよい。
【０１０８】
このように、メディア経路の切り替え手順の第２のパターンでは、Ｓ−ＣＳＣＦ３１およびＡＳ３２は、要求元ＩＰ網１１に対して保持している要求先ＩＰ網１２のメディア経路情報を通知すること、および要求先ＩＰ網１２に対して保持している要求元ＩＰ網１１のメディア経路情報を通知することを行うことで、経路再選択の処理を実行させる。つまり、Ｓ−ＣＳＣＦ３１およびＡＳ３２は、要求元に要求先のメディア経路情報を通知することで経路再選択の処理を実行させ、要求先に要求元のメディア経路情報を通知することで経路再選択の処理を実行させる。本実施形態では、Ｓ−ＣＳＣＦ３１およびＡＳ３２が作成されるメディア経路をより正確に制御することが可能となる。
【０１０９】
（第３実施形態）
図６は、本発明の一実施形態（第３実施形態）に係る通信システム１において行われる処理の流れの一例を示す処理シーケンスの図である。
図６には、図４に示される処理シーケンスと同様な形式で、他の処理シーケンスを示してある。
本実施形態では、メディア信号を通信する経路（メディア経路）の最適化を行うか否かを判定する他のパターンの例を示す。
【０１１０】
本実施形態では、Ｓ−ＣＳＣＦ３１およびＡＳ３２は、メディア経路の最適化を行うか否かを判定する処理を過去に行っており、過去の当該処理に関して取得した情報を、メディア経路情報保持機能１４２により、保持している。この情報には、例えば、メディア経路の最適化を行うか否かを判定する処理で参照したメディア経路情報が含まれ、また、要求元のＵＥ２１−１を識別する情報や、要求先のＵＥ２１−２を識別する情報が含まれる。
なお、本実施形態では、Ｓ−ＣＳＣＦ３１およびＡＳ３２は、自装置が行った過去の処理に関する情報を記憶するが、他の構成例として、メディア経路の最適化を行うか否かを判定する処理で使用される情報が、人為的にまたは外部の装置により設定されて、メディア経路情報保持機能１４２により保持されてもよい。
【０１１１】
（処理Ｔ２０１）
マルチメディア通信の要求元のＵＥ２１−１は、セッション開始要求を送信する。
ここで、セッション開始要求は、要求元のＵＥ２１−１のＩＰアドレス、ポートおよびセッションにおいて使用したいコーデックなどの情報を含むＳＤＰを有する。
【０１１２】
（処理Ｔ２０２）
要求元のＵＥ２１−１から送信されたセッション開始要求は、Ｐ−ＣＳＣＦ２２−１を介して、ＩＭＳ−ＡＬＧ２３−１により中継される。ＩＭＳ−ＡＬＧ２３−１は、当該セッション開始要求を中継する際に、メディア経路情報制御機能１２１−１により、当該セッション開始要求に対して自装置に関する所定のメディア経路情報をＳＤＰに付与したセッション開始要求の信号を転送する。
この所定のメディア経路情報は、例えば、自装置が位置するネットワークの識別子（ネットワークＩＤ）の情報や、自装置に対応するＴｒＧＷ２４−１におけるメディア信号の転送能力など（例えば、メディアのコーデックなど）に関する提供可能な能力情報などを含む。
【０１１３】
（処理Ｔ２０３）
ＩＭＳ−ＡＬＧ２３−１から転送されたセッション開始要求は、ＩＭＳ−ＡＬＧ２３−２により中継される。ＩＭＳ−ＡＬＧ２３−２は、当該セッション開始要求を中継する際に、メディア経路情報制御機能１２１−２により、当該セッション開始要求に対して自装置に関する所定のメディア経路情報をＳＤＰに付与したセッション開始要求の信号を転送する。
この所定のメディア経路情報は、例えば、自装置が位置するネットワークの識別子（ネットワークＩＤ）の情報や、自装置に対応するＴｒＧＷ２４−２におけるメディア信号の転送能力など（例えば、メディアのコーデックなど）に関する提供可能な能力情報などを含む。
【０１１４】
（処理Ｔ２０４）
Ｓ−ＣＳＣＦ３１およびＡＳ３２は、ＩＭＳ−ＡＬＧ２３−２から転送されたセッション開始要求を受信する。Ｓ−ＣＳＣＦ３１およびＡＳ３２は、メディア経路情報保持機能１４２により、受信されたセッション開始要求に含まれる要求元および要求先に関する情報（情報要素）を抽出（取得）する。
この要求元および要求先に関する情報は、要求元のＵＥ２１−１を識別する情報、および要求先のＵＥ２１−２を識別する情報を含む。また、この要求元および要求先に関する情報に、ＩＭＳ−ＡＬＧの群（ここでは、ＩＭＳ−ＡＬＧ２３−１およびＩＭＳ−ＡＬＧ２３−２）に関するメディア経路情報が含まれてもよい。
また、Ｓ−ＣＳＣＦ３１およびＡＳ３２は、メディア経路情報保持機能１４２により、抽出（取得）した情報を記憶部に記憶して保持してもよい。
【０１１５】
（処理Ｔ２０５）
次に、Ｓ−ＣＳＣＦ３１およびＡＳ３２は、メディア経路最適化判定機能１４３により、（処理Ｔ２０４）において取得したメディア経路情報、およびメディア経路情報保持機能１４２により保持されている過去の情報（他の構成例として、他の設定された情報でもよい）に基づいて、メディア信号を通信する経路（メディア経路）の最適化を行うか否か（経路の切り替えを行うか否か）を判定する。
ここで、Ｓ−ＣＳＣＦ３１およびＡＳ３２は、例えば、メディア経路の最適化を行うか否かを判定する方法として、今回取得したメディア経路情報から抽出されるセッションの要求元（本実施形態では、要求元のＵＥ２１−１）および要求先（本実施形態では、要求先のＵＥ２１−２）の組み合わせに対して、これと同一の組み合わせに関する情報がメディア経路情報保持機能１４２により保持されている情報に含まれる場合に、メディア経路情報保持機能１４２により保持されている情報の内容と一致するように、メディア経路の最適化を行うか否かを判定する。つまり、Ｓ−ＣＳＣＦ３１およびＡＳ３２は、要求元および要求先の同一の組み合わせについて、メディア経路の最適化を行うという情報がメディア経路情報保持機能１４２により保持されている場合には、メディア経路の最適化を行うことを判定し、一方、そうでない場合には、メディア経路の最適化を行わないことを判定する。
【０１１６】
このように、本実施形態では、Ｓ−ＣＳＣＦ３１およびＡＳ３２は、例えば、第１実施形態に係る図４の例や第２実施形態に係る図５の例によりメディア経路の最適化を行うか否かを判定した結果の情報をメディア経路情報保持機能１４２により保持しておき、今回におけるセッションの要求元および要求先が保持内容と同じ組み合わせであった場合には、その保持内容にしたがって、メディア経路最適化判定機能１４３により、メディア経路の最適化を行うか否かを判定する。
【０１１７】
ここで、Ｓ−ＣＳＣＦ３１およびＡＳ３２は、メディア経路最適化判定機能１４３により、メディア経路の最適化を行うことを判定した場合には、例えば、第１実施形態に係る図４の例（第１のパターン）や第２実施形態に係る図５の例（第２のパターン）などの処理を行うことにより、メディア経路が最適化されるように制御する。
一方、Ｓ−ＣＳＣＦ３１およびＡＳ３２は、例えば、今回におけるセッションの要求元および要求先と同じ組み合わせが保持内容に含まれない場合には、（処理Ｔ２０４）の後に、第１実施形態に係る図４の例や第２実施形態に係る図５の例における（処理Ｔ５）〜（処理Ｔ１６）と同様な処理を行ってもよい。
【０１１８】
つまり、Ｓ−ＣＳＣＦ３１およびＡＳ３２は、保持内容（例えば、過去の情報など）によりメディア経路の最適化を行うか否かを判定することが可能な場合には判定し、そうでない場合には、第１実施形態に係る図４の例や第２実施形態に係る図５の例と同様な処理を行って、メディア経路の最適化を行うか否かを判定することが可能である。
【０１１９】
（第４実施形態）
図７は、本発明の一実施形態（第４実施形態）に係る通信システム１において行われるＵＥ１０１１−１、１０１１−２同士の通信の一例を示す図である。
図７には、要求元のＵＥ１０１１−１、要求元のｅＮＢ１０１２−１、要求元のＳ／Ｐ−ＧＷ（Ｓ−ＧＷ（Ｓｅｒｖｉｎｇ−Ｇａｔｅｗａｙ）またはＰ−ＧＷ（Ｐａｃｋｅｔ  Ｄａｔａ  Ｎｅｔｗｏｒｋ−Ｇａｔｅｗａｙ））１０１３−１、要求元ＩＰ網１００１、ＩＰ中継網１００３、要求先ＩＰ網１００２、要求先のＳ／Ｐ−ＧＷ（Ｓ−ＧＷまたはＰ−ＧＷ）１０１３−２、要求先のｅＮＢ１０１２−２、要求先のＵＥ１０１１−２を示してある。
要求元ＩＰ網１００１には、Ｐ−ＣＳＣＦ１０２１−１、Ｓ−ＣＳＣＦ／ＡＳ（Ｓ−ＣＳＣＦやＡＳ）１０２２−１、ＩＭＳ−ＡＬＧ１０２３−１、ＴｒＧＷ１０２４−１を示してある。
要求先ＩＰ網１００２には、Ｐ−ＣＳＣＦ１０２１−２、Ｓ−ＣＳＣＦ／ＡＳ（Ｓ−ＣＳＣＦやＡＳ）１０２２−２、ＩＭＳ−ＡＬＧ１０２３−４、ＴｒＧＷ１０２４−４を示してある。
ＩＰ中継網１００３には、Ｓ−ＣＳＣＦ／ＡＳ（Ｓ−ＣＳＣＦやＡＳ）１０３１、要求元側のＩＭＳ−ＡＬＧ１０２３−２、要求元側のＴｒＧＷ１０２４−２、要求先側のＩＭＳ−ＡＬＧ１０２３−３、要求先側のＴｒＧＷ１０２４−３を示してある。
【０１２０】
ここで、図７の例では、図１に示される例と比べて、より詳しく装置の構成を示してある。
図７の例における、ＵＥ１０１１−１、Ｐ−ＣＳＣＦ１０２１−１、ＩＭＳ−ＡＬＧ１０２３−１、ＴｒＧＷ１０２４−１、ＩＭＳ−ＡＬＧ１０２３−２、ＴｒＧＷ１０２４−２、Ｓ−ＣＳＣＦ／ＡＳ（Ｓ−ＣＳＣＦやＡＳ）１０３１、ＩＭＳ−ＡＬＧ１０２３−３、ＴｒＧＷ１０２４−３、ＩＭＳ−ＡＬＧ１０２３−４、ＴｒＧＷ１０２４−４、Ｐ−ＣＳＣＦ１０２１−２、ＵＥ１０１１−２が、図１の例における各装置（同一の名称の装置）に対応している。
【０１２１】
メディア経路の最適化の一例を示す。
本例では、要求元ＩＰ網１００１および要求先ＩＰ網１００２はコーデック（Ｃｏｄｅｃ）１を使用して情報を処理する能力を有し、ＩＰ中継網１００３はコーデック（Ｃｏｄｅｃ）２を使用して情報を処理する能力を有する。また、ＴｒＧＷ１０２４−１はコーデック１を使用した情報をコーデック２を使用した情報へ変換してＴｒＧＷ１０２４−２に送信する能力を有し、ＴｒＧＷ１０２４−３はコーデック２を使用した情報をコーデック１を使用した情報へ変換してＴｒＧＷ１０２４−４に送信する能力を有する。なお、コーデック１とコーデック２とは異なる。
【０１２２】
この場合、例えば、要求元のＵＥ１０１１−１から送信されたメディア信号を、ｅＮＢ１０１２−１等を介した後に、要求元ＩＰ網１００１のＴｒＧＷ１０２４−１、ＩＰ中継網１００３のＴｒＧＷ１０２４−２、ＩＰ中継網１００３のＴｒＧＷ１０２４−３、要求先ＩＰ網１００２のＴｒＧＷ１０２４−４の順に経由させて、ｅＮＢ１０１２−２等を介して、要求先のＵＥ１０１１−２に伝送するメディア経路（説明の便宜上、メディア経路Ａと言う）がある。
【０１２３】
このようなメディア経路Ａに対して、すべてのＴｒＧＷ１０２４−１〜１０２４−４を経由しないメディア経路（説明の便宜上、メディア経路Ｂと言う）がある。このメディア経路Ｂでは、要求元のＵＥ１０１１−１から送信されたメディア信号を、ｅＮＢ１０１２−１、Ｓ／Ｐ−ＧＷ１０１３−１、Ｓ／Ｐ−ＧＷ１０１３−２、ｅＮＢ１０１２−２の順に経由させて、要求先のＵＥ１０１１−２に伝送する。このメディア経路Ｂでは、Ｓ／Ｐ−ＧＷ１０１３−１、１０１３−２同士で通信する。このメディア経路Ｂでは、メディア信号がＴｒＧＷ１０２４−１〜１０２４−４を通過しない。
このメディア経路Ｂは、メディア経路Ａと比べて、メディア信号が通過する装置が少ないという点や、コーデックの変換の処理をなくしている点で、より良好であると考えられる。このため、メディア経路Ａに対して、メディア経路Ｂは、最適化されたメディア経路の一例となる。
【０１２４】
本例では、コーデック１からコーデック２への変換および当該コーデック２からコーデック１への変換が行われるメディア経路Ａに対して、これらのコーデックの変換を行う装置（ＴｒＧＷ１０２４−１〜１０２４−４）を経由しないメディア経路Ｂの方が効率的であることを判定して、メディア経路の最適化を行う。
これにより、メディア経路Ｂでは、要求元のＵＥ１０１１−１と要求先のＵＥ１０１１−２との間で、直接通信（本例では、要求元ＩＰ網１００１、要求先ＩＰ網１００２、ＩＰ中継網１００３を経由しない通信）が実現される。
【０１２５】
ここで、本実施形態におけるメディア経路の最適化、およびＵＥ１０１１−１、１０１１−２同士の通信は、例えば、第１実施形態〜第３実施形態に適用することが可能である。
また、メディア経路を最適化する手法（アルゴリズム）としては、一例として、可能な限り経路を短縮化する手法が用いられるが、他の様々な手法が用いられてもよい。
【０１２６】
（第５実施形態）
以上の実施形態では、ＩＭＳ、ＬＴＥ、ＩＰを例として説明したが、同様な構成や動作を様々なシステムに適用することが可能である。
一例として、複数のネットワークの間で通信される制御信号に含まれる情報に基づいて、前記した複数のネットワークの間で通信されるメディア信号の経路を最適化する処理を実行するか否かを判定する判定部を備える、判定装置を構成することができる。
【０１２７】
なお、通信システムにおける各機能は、任意の装置に備えられてもよい。例えば、通信システムにおいて、メディア経路情報制御機能や、メディア経路情報保持機能や、メディア経路最適化判定機能などは、それぞれ、任意の装置に備えられてもよく、２つ以上の機能が同一の装置に備えられてもよい。
また、通信システムにおける各装置は、任意の者により所有や管理等されてもよい。
【０１２８】
［以上の実施形態に係る構成例］
一構成例として、第１のネットワークと第２のネットワーク（図１の例では、要求元ＩＰ網１１および要求先ＩＰ網１２）のうちのいずれかに、または、前記第１のネットワークと前記第２のネットワークの中間に、設置され、前記第１のネットワークと前記第２のネットワークとの間で通信される制御信号に含まれる情報（図２の例では、メディア経路情報）に基づいて、前記第１のネットワークと前記第２のネットワークとの間で通信されるメディア信号の経路を最適化する処理を実行するか否かを判定する判定部（図２の例では、メディア経路最適化判定機能１４３の機能部）を備える、判定装置（図２の例では、サービス制御装置１０３）である（例えば、第１実施形態〜第５実施形態の構成例）。
【０１２９】
一構成例として、判定装置において、前記制御信号に含まれる経路に関する情報を制御する経路情報制御部（図２の例では、メディア経路情報制御機能１４１）と、前記制御信号に含まれる経路に関する情報を保持する経路情報保持部（図２の例では、メディア経路情報保持機能１４２）と、を備え、前記判定部は、前記経路情報保持部により保持される情報に基づいて、前記判定を行う（例えば、第１実施形態〜第４実施形態の構成例）。
【０１３０】
一構成例として、判定装置において、前記経路に関する情報は、前記第１のネットワークおよび前記第２のネットワークに含まれる１以上の装置が位置するネットワークを識別する情報（例えば、ネットワーク識別子の情報）、前記１以上の装置に対応するメディア信号の通信に関する能力の情報、オペレータに関する情報、メディアの種類に関する情報、ユーザに関する情報、または、当該判定装置以外の装置において経路制御が実行されないようにするためのダミーの情報（例えば、ＯＭＲの経路制御の動作が実行されないようにするためのダミーの情報）、のうちの１以上を含む（例えば、第１実施形態〜第４実施形態の構成例）。
【０１３１】
一構成例として、判定装置において、前記判定部によりメディア信号の経路を最適化する処理を実行することが判定された場合に、メディア信号の経路を最適化する処理の実行の契機となる信号（図４の例ではセッション修正要求であり、図５の例ではセッション更新要求）を送信する（例えば、第１実施形態〜第２実施形態の構成例）。
【０１３２】
一構成例として、判定装置において、前記メディア信号の経路を最適化する処理の実行の契機となる信号（図５の例では、セッション更新要求）に、前記第１のネットワークと前記第２のネットワークのうちの１以上のネットワーク（図５の例では、要求元ＩＰ網１１または要求先ＩＰ網１２のうちの一方）に含まれる装置に関する情報を含めて、前記ネットワークとは異なるネットワーク（図５の例では、要求元ＩＰ網１１または要求先ＩＰ網１２のうちの他方）に送信する（例えば、第２実施形態の構成例）。
【０１３３】
一構成例として、判定装置において、前記判定部は、前記判定について判定結果（例えば、過去の判定結果など）に関する情報を保持し、前記制御信号（例えば、現在において処理対象となる制御信号）に含まれる情報に基づいて、判定の条件（例えば、要求元および要求先の組み合わせなど）が前記保持される判定結果と同じ判定の条件である場合には、前記判定結果と同じ判定結果を得る（例えば、第３実施形態の構成例）。
【０１３４】
一構成例として、判定装置において、ＬＴＥをアクセス網とするＩＭＳを利用したシステムに設けられ、前記第１のネットワークおよび前記第２のネットワークは、ＩＰ網（図１の例では、例えば、要求元ＩＰ網１１および要求先ＩＰ網１２）であり、前記制御信号に含まれる情報は、前記第１のネットワークおよび前記第２のネットワークに含まれる１以上のＩＭＳ−ＡＬＧ（図１の例では、ＩＭＳ−ＡＬＧ２３−１、２３−４）について、前記ＩＭＳ−ＡＬＧが含まれるネットワークを識別する情報と前記ＩＭＳ−ＡＬＧに対応するＴｒＧＷ（図１の例では、ＩＭＳ−ＡＬＧ２３−１、２３−４に対応するＴｒＧＷ２４−１、２４−４）によるメディア信号の通信に関する能力の情報、オペレータに関する情報、メディアの種類に関する情報またはユーザに関する情報のうちの１以上を含み、前記制御信号は、前記ＩＭＳ−ＡＬＧにより通信され、前記メディア信号は、前記ＴｒＧＷにより通信され、前記第１のネットワークと前記第２のネットワークのうちの一方（図１の例では、要求元ＩＰ網１１）がセッションの要求元側となり、他方（図１の例では、要求先ＩＰ網１２）が前記セッションの要求先側となる（例えば、第１実施形態〜第４実施形態の構成例）。
【０１３５】
一構成例として、第１のネットワークと第２のネットワークのうちのいずれかに、または、前記第１のネットワークと前記第２のネットワークの中間に、設置される判定装置が、前記第１のネットワークと前記第２のネットワークとの間で通信される制御信号に含まれる情報に基づいて、前記第１のネットワークと前記第２のネットワークとの間で通信されるメディア信号の経路を最適化する処理を実行するか否かを判定する、判定方法（図２の例では、サービス制御装置１０３において行われる判定の方法）である（例えば、第１実施形態〜第５実施形態の構成例）。
一構成例として、第１のネットワークと第２のネットワークのうちのいずれかに、または、前記第１のネットワークと前記第２のネットワークの中間に、設置され、前記第１のネットワークと前記第２のネットワークとの間で通信される信号を中継する判定装置を有し、前記判定装置は、前記第１のネットワークと前記第２のネットワークとの間で通信される制御信号に含まれる情報に基づいて、前記第１のネットワークと前記第２のネットワークとの間で通信されるメディア信号の経路を最適化する処理を実行するか否かを判定する、通信システム（図１の例では、通信システム１）である（例えば、第１実施形態〜第５実施形態の構成例）。
【０１３６】
［以上の実施形態のまとめ］
以上、本発明の実施形態について図面を参照して詳述したが、具体的な構成はこの実施形態に限られるものではなく、本発明の要旨を逸脱しない範囲の設計変更等も含まれる。
【０１３７】
また、以上に示した実施形態に係る各装置の機能を実現するためのプログラムをコンピュータ読み取り可能な記録媒体に記録して、この記録媒体に記録されたプログラムをコンピュータシステムに読み込ませ、実行することにより、処理を行ってもよい。
【０１３８】
なお、ここでいう「コンピュータシステム」とは、オペレーティング・システム（ＯＳ：Ｏｐｅｒａｔｉｎｇ  Ｓｙｓｔｅｍ）や周辺機器等のハードウェアを含むものであってもよい。
また、「コンピュータ読み取り可能な記録媒体」とは、フレキシブルディスク、光磁気ディスク、ＲＯＭ（Ｒｅａｄ  Ｏｎｌｙ  Ｍｅｍｏｒｙ）、フラッシュメモリ等の書き込み可能な不揮発性メモリ、ＤＶＤ（Ｄｉｇｉｔａｌ  Ｖｅｒｓａｔｉｌｅ  Ｄｉｓｋ）等の可搬媒体、コンピュータシステムに内蔵されるハードディスク等の記憶装置のことをいう。
【０１３９】
さらに、「コンピュータ読み取り可能な記録媒体」とは、インターネット等のネットワークや電話回線等の通信回線を介してプログラムが送信された場合のサーバやクライアントとなるコンピュータシステム内部の揮発性メモリ（例えばＤＲＡＭ（Ｄｙｎａｍｉｃ  Ｒａｎｄｏｍ  Ａｃｃｅｓｓ  Ｍｅｍｏｒｙ））のように、一定時間プログラムを保持しているものも含むものとする。
また、上記のプログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
また、上記のプログラムは、前述した機能の一部を実現するためのものであってもよい。さらに、上記のプログラムは、前述した機能をコンピュータシステムに既に記録されているプログラムとの組み合わせで実現できるもの、いわゆる差分ファイル（差分プログラム）であってもよい。
【符号の説明】
【０１４０】
１…通信システム、１１、１００１…要求元ＩＰ網、１２、１００２…要求先ＩＰ網、１３、１００３…ＩＰ中継網、２１−１〜２１−２、１０１１−１〜１０１１−２…ＵＥ、２２−１〜２２−２、１０２１−１〜１０２１−２…Ｐ−ＣＳＣＦ、２３−１〜２３−４、１０２３−１〜１０２３−４…ＩＭＳ−ＡＬＧ、２４−１〜２４−４、１０２４−１〜１０２４−４…ＴｒＧＷ、３１…Ｓ−ＣＳＣＦ、３２…ＡＳ、１０１〜１０２…信号中継サーバ、１０３…サービス制御装置、１２１、１２１−１〜１２１−２、１３１、１３１−１〜１３１−２、１４１…メディア経路情報制御機能、１４２…メディア経路情報保持機能、１４３…メディア経路最適化判定機能、２０１−１〜２０１−２…中継部、２０２…判定部、１０１２−１〜１０１２−２…ｅＮＢ、１０１３−１〜１０１３−２…Ｓ／Ｐ−ＧＷ、１０２２−１〜１０２２−２、１０３１…Ｓ−ＣＳＣＦ／ＡＳ
【図１】
0006403513.tif 000002
【図２】
0006403513.tif 000003
【図３】
0006403513.tif 000004
【図４】
0006403513.tif 000005
【図５】
0006403513.tif 000006
【図６】
0006403513.tif 000007
【図７】
0006403513.tif 000008